(57)【要約】【課題】従来の行動管理アプリケーションでは、情報の管理単位が「時間」等に固定されていた為、データ検索等の情報管理が十分にできなかった。また、行動管理に複数のアプリケーションを併用する必要があった為、多大な管理負担、データ変換負担が生じていた。【解決手段】行動管理システム１のデータ処理手段１１が、入力された行動情報を、当該行動情報を構成する人情報、場所情報、時間情報、内容情報、メディア情報に分割し、参照値を用いてこれらに相関性を持たせて行動データベース１２に保存し、中央システムで一括管理することにより、管理軸を「時間」に固定せず、任意の管理軸で情報を管理する。【選択図】図１
2008027364.tif 000002
【特許請求の範囲】
【請求項１】
時間軸を含めた複数の管理軸を用いて行動情報を多次元管理する為の行動管理システムであって、
行動管理システムは、データ処理手段と、後述する行動要素情報を保存及び検索する為の行動データベースとを備えており、
行動管理システムが、以下の機能（Ａ）−（Ｃ）を備えていることを特徴とする、行動管理システム。
（Ａ）データ処理手段が、行動管理システムに入力された行動情報を「人」「場所」「時間」「内容」の４種類の行動要素情報に分割し、
（Ｂ）データ処理手段が、一種類以上の行動要素情報に対して、同一行動情報に含まれている他の行動要素情報を指し示す参照値を付与し、この参照値の付与は、分割後のどの行動要素情報を基点とした場合であっても、行動要素情報に付与された参照値をたどることによって分割前の元の行動情報を再構成できるように行われ、
（Ｃ）データ処理手段が、前記参照値付与処理を行った後の各行動要素情報を前記行動データベースに保存する。
【請求項２】
前記機能（Ｂ）における参照値の付与が、
同一行動情報内に含まれる「人」「場所」「時間」に係る行動要素情報についての参照値を「内容」行動要素情報に付与し、
同一行動情報内に含まれる「人」「場所」「内容」に係る行動要素情報についての参照値を「時間」行動要素情報に付与し、
同一行動情報内に含まれる「人」「時間」「内容」に係る行動要素情報についての参照値を「場所」行動要素情報に付与し、
同一行動情報内に含まれる「時間」「内容」「場所」に係る行動要素情報についての参照値を「人」行動要素情報に付与することによって行われることを特徴とする、請求項１に記載の行動管理システム。
【請求項３】
行動管理システムが以下の機能（Ｄ）（Ｅ）を更に備えていることを特徴とする、請求項１または２に記載の行動管理システム。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
【請求項４】
前記機能（Ａ）の代わりに、以下の機能（Ａ）’を備えていることを特徴とする、請求項１に記載の行動管理システム。
（Ａ）’データ処理手段が、入力された行動情報を「人」「場所」「時間」「内容」「メディア」の５種類の行動要素情報に分割する。
【請求項５】
機能（Ｂ）における参照値の付与が、
同一行動情報内に含まれる「人」「場所」「時間」「内容」に係る行動要素情報についての参照値を「メディア」行動要素情報に付与し、
同一行動情報内に含まれる「人」「場所」「時間」「メディア」に係る行動要素情報についての参照値を「内容」行動要素情報に付与し、
同一行動情報内に含まれる「人」「場所」「内容」「メディア」に係る行動要素情報についての参照値を「時間」行動要素情報に付与し、
同一行動情報内に含まれる「人」「時間」「内容」「メディア」に係る行動要素情報についての参照値を「場所」行動要素情報に付与し、
同一行動情報内に含まれる「場所」「時間」「内容」「メディア」に係る行動要素情報についての参照値を「人」行動要素情報に付与することによって行われることを特徴とする、請求項４に記載の行動管理システム。
【請求項６】
行動管理システムが以下の機能（Ｄ）（Ｅ）を更に備えていることを特徴とする、請求項４または５に記載の行動管理システム。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
【請求項７】
行動情報に含まれる情報の一部または全部を地図状に視覚化する為の、行動情報視覚化システムであって、
行動情報視覚化システムは、情報装置と、請求項３または６に記載の行動管理システムを備えており、
情報装置はデータ処理手段と情報表示手段を備え、
行動管理システムの行動データベースに保存された「場所」行動要素情報には位置情報が含まれており、
行動管理システム及び情報装置がそれぞれ以下のデータ処理（ａ）から（ｅ）に適合化されていることを特徴とする、行動情報視覚化システム。
（ａ）行動管理システムのデータ処理手段が、情報装置より入力された情報検索要求に含まれる検索条件に従って前記機能（Ｄ）を行って、検索条件に合致する「内容」行動要素情報を行動管理システムの行動データベースから取得し、
（ｂ）行動管理システムのデータ処理手段が前記機能（Ｅ）を行って、前記データ処理（ａ）にて取得された「内容」行動要素情報に関連付けられた「場所」行動要素情報を、参照値を用いて行動管理システムの行動データベースから取得し、
（ｃ）行動管理システムのデータ処理手段が、取得した各行動要素情報について、「場所」行動要素情報に含まれる位置情報に基づいて、位置情報を含む表示用データを構築し、
（ｄ）行動管理システムのデータ処理手段が、前記表示用データを情報装置に送信し、
（ｅ）情報装置のデータ処理手段が、表示用データを指し示すマーカーもしくは当該表示用データ自体を、一方の軸を緯度、もう一方の軸を経度とした２次元平面上に、前記位置情報の緯度、経度の数値に対応した位置にそれぞれ配置することにより、情報表示手段に地図状に表示する。
【請求項８】
情報装置が以下のデータ処理（ｆ）（ｇ）に更に適合化されていることを特徴とする、請求項７に記載の行動情報視覚化システム。
（ｆ）情報装置のデータ処理手段が地図データベースから地図情報を取得し、
（ｇ）情報装置のデータ処理手段が、前記データ処理（ｆ）における地図情報を下側のレイヤーとし、前記データ処理（ｅ）におけるマーカー若しくは表示用データを上側のレイヤーとして、情報表示手段に重ねて表示する。
【請求項９】
行動の発生順を更に視覚化する為の、請求項７又は８に記載の行動情報視覚化システムであって、
行動管理システムの行動データベースに保存された「時間」行動要素情報には開始時間情報が含まれており、
前記データ処理（ｂ）（ｃ）がそれぞれ下記データ処理（ｂ）’（ｃ）’に置き換わり、
情報装置が、下記データ処理（ｈ）に更に適合化されていることを特徴とする行動情報視覚化システム。
（ｂ）’行動管理システムのデータ処理手段が前記機能（Ｅ）を行って、前記データ処理（ａ）にて取得された「内容」行動要素情報に関連付けられた「場所」行動要素情報及び「時間」行動要素情報を、参照値を用いて行動管理システムの行動データベースから取得し、
（ｃ）’行動管理システムのデータ処理手段が、取得した各行動要素情報について、「場所」行動要素情報に含まれる位置情報に基づいて、位置情報と開始時間情報とを含む表示用データを構築し、
（ｈ）情報装置のデータ処理手段が、表示用データ内の開始時間情報の値が小さい順に、前記マーカー若しくは表示用データの間に線を引く。
【請求項１０】
請求項７から９のいずれか一つに記載の行動情報視覚化システムであって、
情報装置が、位置情報受信装置を内蔵した持ち運び可能な情報装置であり、
行動管理システム及び情報装置がそれぞれ、以下のデータ処理（ｉ）から（ｌ）に適合化されていることを特徴とする、行動情報視覚化システム。
（ｉ）情報装置のデータ処理手段が、位置情報受信装置を用いて現在地の位置情報を一定時間毎に受信し、該位置情報を検索条件として指定した情報検索要求を行動管理システムにその都度送信し、
（ｊ）行動管理システムのデータ処理手段が、受信した位置情報によって示される位置の一定距離内に含まれる位置を示す位置情報を有する「場所」行動要素情報を行動データベースから検索し、
（ｋ）前記検索の結果、該当する「場所」行動要素情報が存在した場合、行動管理システムのデータ処理手段が情報装置にメッセージを送信し、
（ｌ）メッセージを受信した情報装置は、その旨を通知する。
【請求項１１】
予定情報を視覚化する為の、請求項７から１０のいずれか一つに記載の行動情報視覚化システムであって、
前記データ処理（ａ）において、検索条件にて指定された所定の時刻よりも大きい開始時間属性情報を有する「時間」行動要素情報と参照値によって関連付けられた「内容」行動要素情報のみを行動管理システムの行動データベースより取得することを特徴とする、行動情報視覚化システム。
【請求項１２】
ユーザーに予定を通知する為の、請求項１１に記載の行動情報視覚化システムであって
情報装置が、位置情報受信装置を内蔵した持ち運び可能な情報装置であり、
前記データ処理（ｂ）（ｃ）又は（ｂ）’（ｃ）’が、それぞれ下記データ処理（ｂ）’’（ｃ）’’に置き換わり、
情報装置が、以下のデータ処理（ｍ）から（ｏ）に適合化されていることを特徴とする、行動情報視覚化システム。
（ｂ）’’行動管理システムのデータ処理手段が前記機能（Ｅ）を行って、前記データ処理（ａ）にて取得された「内容」行動要素情報に関連付けられた「場所」行動要素情報及び「時間」行動要素情報を、参照値を用いて行動管理システムの行動データベースから取得し、
（ｃ）’’行動管理システムのデータ処理手段が、取得した各行動要素情報について、「場所」行動要素情報に含まれる位置情報に基づいて、位置情報と開始時間情報とを含む表示用データを構築し、
（ｍ）情報装置のデータ処理手段が、位置情報受信装置を用いて現在地の位置情報を一定時間毎に受信し、
（ｎ）情報装置のデータ処理手段が、前記（ｍ）で取得した位置情報と、前記表示用データの位置情報を基に、現在地から予定が行われる場所への移動に必要な所要時間Ｐを計算、もしくは外部システムから取得し、
（ｏ）情報装置のデータ処理手段が、前記表示用データの開始時間情報から前記移動時間Ｐを引いた時刻が、情報装置のシステム時刻に所定のマージン時間Ｍを加えた時刻以前となった場合、その旨の通知を行う。
【請求項１３】
過去の行動履歴を視覚化する為の、請求項７から１０のいずれか一つに記載の行動情報視覚化システムであって、
前記データ処理（ａ）において、検索条件にて指定された所定の時刻よりも小さい開始時間属性情報を有する「時間」行動要素情報と参照値によって関連付けられた「内容」行動要素情報のみを行動管理システムの行動データベースより取得することを特徴とする、行動情報視覚化システム。
【請求項１４】
行動情報に含まれるメディアを地図状に視覚化する為の、メディアアルバムシステムであって、
メディアアルバムシステムは、情報装置と、請求項６に記載の行動管理システムを備えており、
情報装置はデータ処理手段と情報表示手段を備え、
行動管理システムの行動データベースに保存された「場所」行動要素情報には位置情報が含まれており、
行動管理システムの行動データベースに保存された「メディア」行動要素情報にはメディアの保存場所を示す情報（保存場所情報）が含まれており、
行動管理システム及び情報機器がそれぞれ以下のデータ処理（ｐ）から（ｔ）に適合化されていることを特徴とする、メディアアルバムシステム。
（ｐ）行動管理システムのデータ処理手段が、情報装置より入力された情報検索要求に含まれる検索条件に従って前期機能（Ｄ）を行って、検索条件に合致する「メディア」行動要素情報を行動管理システムの行動データベースから取得し、
（ｑ）行動管理システムのデータ処理手段が前記機能（Ｅ）を行って、前記データ処理（ｐ）にて取得された「メディア」行動要素情報に関連付けられた「場所」行動要素情報を、参照値を用いて行動管理システムの行動データベースから取得し、
（ｒ）行動管理システムのデータ処理手段が、取得した各行動要素情報について、「場所」行動要素情報に含まれる位置情報に基づいて、位置情報と保存場所情報とを含む表示用データを構築し、
（ｓ）行動管理システムのデータ処理手段が、前記表示用データを情報装置に送信し、
（ｔ）情報装置のデータ処理手段が、表示用データ内の保存場所情報が指し示すメディア情報もしくはそれを示すマーカーを、一方の軸を緯度、もう一方の軸を経度とした２次元平面上に、前記位置情報の緯度、経度の数値に対応した位置にそれぞれ配置することにより、情報表示手段に地図状に表示する。
【請求項１５】
情報装置が以下のデータ処理（ｆ）（ｇ）に更に適合化されていることを特徴とする、請求項１４に記載のメディアアルバムシステム。
（ｆ）情報装置のデータ処理手段が地図データベースから地図情報を取得し、
（ｇ）情報装置のデータ処理手段が、前記データ処理（ｆ）における地図情報を下側のレイヤーとし、前記データ処理（ｔ）におけるメディア情報を上側のレイヤーとして、情報表示手段に重ねて表示する。
【請求項１６】
予定や過去の行動履歴を日記状に表示する為の、行動情報表示システムであって、
行動情報表示システムは、情報装置と、請求項３または６に記載の行動管理システムを備えており、
情報装置はデータ処理手段と情報表示手段を備え、
行動管理システム及び情報装置がそれぞれ以下のデータ処理（ｕ）から（ｙ）に適合化されていることを特徴とする、行動情報表示システム。
（ｕ）行動管理システムのデータ処理手段が、情報装置より入力された情報検索要求に含まれる検索条件に従って前記機能（Ｄ）を行って、検索条件に合致する「内容」行動要素情報を行動管理システムの行動データベースから取得し、
（ｖ）行動管理システムのデータ処理手段が前記機能（Ｅ）を行って、前記データ処理（ｕ）にて取得された「内容」行動要素情報に関連付けられた一種類以上の行動要素情報を、参照値を用いて行動管理システムの行動データベースから取得し、
（ｗ）行動管理システムのデータ処理手段が、取得した、参照値によって関連付けられた行動要素情報同士をまとめることによって、一つの「内容」行動要素情報につき一つのグループが形成されるようなグループ化を行い、表示用データを各グループ毎に一つずつ構築し、
（ｘ）行動管理システムのデータ処理手段が、前記表示用データを情報装置に送信し、
（ｙ）情報装置のデータ処理手段が、一つの表示用データ毎に１ページの単票形式で、表示用データを情報表示手段に表示する。
【請求項１７】
請求項１６に記載の行動情報表示システムであって、
行動管理システムの行動データベースに保存された「場所」行動要素情報には位置情報が含まれ、かつ、情報装置に送信される各表示用データにも当該位置情報が含まれており、
情報表示手段に表示される前記単票に、表示されている表示用データに対応するマーカーが一つ配置された、一方の軸を緯度、もう一方の軸を経度とした２次元平面形状の地図表示が含まれ、
該地図表示における一つのマーカーは、前記表示用データ内の位置情報の緯度、経度の数値に対応した位置に配置されることを特徴とする、行動情報表示システム。
【請求項１８】
情報装置が以下のデータ処理（ｆ）（ｇ）に更に適合化されていることを特徴とする、請求項１７に記載の行動情報表示システム。
（ｆ）情報装置のデータ処理手段が地図データベースから地図情報を取得し、
（ｇ）情報装置のデータ処理手段が、前記データ処理（ｆ）における地図情報を下側のレイヤーとし、前記マーカーを上側のレイヤーとして、情報表示手段に重ねて表示する。
【請求項１９】
「人」行動要素情報を中心に情報を集約し表示するための、個人情報集約表示システムであって、
個人情報集約表示システムは、情報装置と、請求項３または６に記載の行動管理システムを備えており、
情報装置はデータ処理手段と情報表示手段を備え、
行動管理システム及び情報装置がそれぞれ以下のデータ処理（ｚ）から（ａｅ）に適合化されていることを特徴とする、個人情報集約表示システム。
（ｚ）行動管理システムのデータ処理手段が、情報装置より入力された情報検索要求に含まれる検索条件に従って前期機能（Ｄ）を行って、検索条件に合致する「人」行動要素情報を行動管理システムの行動データベースから取得し、
（ａａ）行動管理システムのデータ処理手段が前記機能（Ｅ）を行って、前記データ処理（ｚ）にて取得された「人」行動要素情報に関連付けられた「内容」行動要素情報を、参照値を用いて行動管理システムの行動データベースから取得し、
（ａｂ）行動管理システムのデータ処理手段が前記機能（Ｅ）を行って、前記データ処理（ａａ）にて取得された「内容」行動要素情報に関連付けられた一種類以上の行動要素情報を、参照値を用いて行動管理システムの行動データベースから取得し、
（ａｃ）行動管理システムのデータ処理手段が、取得した、参照値によって関連付けられた行動要素情報同士をまとめることによって、一つの「人」行動要素情報につき一つのグループが形成されるようなグループ化を行い、表示用データを各グループ毎に一つずつ構築し、
（ａｄ）行動管理システムのデータ処理手段が、前記表示用データを情報装置に送信し、
（ａｅ）情報装置のデータ処理手段が、一つの表示用データ毎に１ページの単票形式で、表示用データを情報表示手段に表示する。
【請求項２０】
請求項１９に記載の個人情報集約表示システムであって、
行動管理システムの行動データベースに保存された「場所」行動要素情報には位置情報が含まれ、かつ、情報装置に送信される各表示用データにも当該位置情報が含まれており、
情報表示手段に表示される前記単票に、表示されている表示用データに対応するマーカーが配置された、一方の軸を緯度、もう一方の軸を経度とした２次元平面形状の地図表示が含まれ、
該地図表示におけるマーカーは、前記表示用データ内の位置情報の緯度、経度の数値に対応した位置にそれぞれ配置されることを特徴とする、個人情報集約表示システム。
【請求項２１】
情報装置が以下のデータ処理（ｆ）（ｇ）に更に適合化されていることを特徴とする、請求項２０に記載の個人情報集約表示システム。
（ｆ）情報装置のデータ処理手段が地図データベースから地図情報を取得し、
（ｇ）情報装置のデータ処理手段が、前記データ処理（ｆ）における地図情報を下側のレイヤーとし、前記マーカーを上側のレイヤーとして、情報表示手段に重ねて表示する。
【請求項２２】
前記情報装置と行動管理システムが単一の情報装置で構成され、情報装置のデータ処理手段と行動管理システムのデータ処理手段が単一のデータ処理手段に統合されており、情報装置と行動管理システムとの間のデータの入出力に係る各データ処理が不要となることを特徴とする、請求項７から２１のいずれか一つに記載のシステム。
【請求項２３】
データ処理手段と、後述する行動要素情報を保存及び検索する為の行動データベースとを備えた行動管理システムにおいて、時間軸を含めた複数の管理軸を用いて行動情報を多次元管理する為の行動管理方法であって、
以下の過程（Ａ）−（Ｃ）からなることを特徴とする、行動管理方法。
（Ａ）データ処理手段が、行動管理システムに入力された行動情報を「人」「場所」「時間」「内容」の４種類の行動要素情報に分割し、
（Ｂ）データ処理手段が、一種類以上の行動要素情報に対して、同一行動情報に含まれている他の行動要素情報を指し示す参照値を付与し、この参照値の付与は、分割後のどの行動要素情報を基点とした場合であっても、行動要素情報に付与された参照値をたどることによって分割前の元の行動情報を再構成できるように行われ、
（Ｃ）データ処理手段が、前記参照値付与処理を行った後の各行動要素情報を前記行動データベースに保存する。
【請求項２４】
前記過程（Ｂ）における参照値の付与が、
同一行動情報内に含まれる「人」「場所」「時間」に係る行動要素情報についての参照値を「内容」行動要素情報に付与し、
同一行動情報内に含まれる「人」「場所」「内容」に係る行動要素情報についての参照値を「時間」行動要素情報に付与し、
同一行動情報内に含まれる「人」「時間」「内容」に係る行動要素情報についての参照値を「場所」行動要素情報に付与し、
同一行動情報内に含まれる「時間」「内容」「場所」に係る行動要素情報についての参照値を「人」行動要素情報に付与することによって行われることを特徴とする、請求項２３に記載の行動管理方法。
【請求項２５】
前記過程（Ｃ）の後に、以下の過程（Ｄ）（Ｅ）を更に行うことを特徴とする、請求項２３または２４に記載の行動管理方法。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
【請求項２６】
前記過程（Ａ）の代わりに、以下の過程（Ａ）’を行うことを特徴とする、請求項２３に記載の行動管理方法。
（Ａ）’データ処理手段が、入力された行動情報を「人」「場所」「時間」「内容」「メディア」の５種類の行動要素情報に分割する。
【請求項２７】
前記過程（Ｂ）における参照値の付与が、
同一行動情報内に含まれる「人」「場所」「時間」「内容」に係る行動要素情報についての参照値を「メディア」行動要素情報に付与し、
同一行動情報内に含まれる「人」「場所」「時間」「メディア」に係る行動要素情報についての参照値を「内容」行動要素情報に付与し、
同一行動情報内に含まれる「人」「場所」「内容」「メディア」に係る行動要素情報についての参照値を「時間」行動要素情報に付与し、
同一行動情報内に含まれる「人」「時間」「内容」「メディア」に係る行動要素情報についての参照値を「場所」行動要素情報に付与し、
同一行動情報内に含まれる「場所」「時間」「内容」「メディア」に係る行動要素情報についての参照値を「人」行動要素情報に付与することによって行われることを特徴とする、請求項２６に記載の行動管理方法。
【請求項２８】
以下の過程（Ｄ）（Ｅ）を更に行うことを特徴とする、請求項２６または２７に記載の行動管理方法。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
【請求項２９】
請求項３または６に記載の行動管理システムに保存されている行動情報に含まれる情報の一部または全部を、情報装置の情報表示手段に地図状に視覚化する為の、行動情報視覚化方法であって、
前記情報装置はデータ処理手段と情報表示手段を備えており、
前記行動管理システムの行動データベースに保存された「場所」行動要素情報には位置情報が含まれており、
該方法が以下の過程（ａ）から（ｅ）からなることを特徴とする、行動情報視覚化方法。
（ａ）行動管理システムのデータ処理手段が、情報装置より入力された情報検索要求に含まれる検索条件に従って、行動管理システムが備える機能（Ｄ）を用いることにより、検索条件に合致する「内容」行動要素情報を行動管理システムの行動データベースから取得し、
（ｂ）行動管理システムのデータ処理手段が、行動管理システムが備える機能（Ｅ）を用いることにより、前記過程（ａ）にて取得された「内容」行動要素情報に関連付けられた「場所」行動要素情報を、参照値を用いて行動管理システムの行動データベースから取得し、
（ｃ）行動管理システムのデータ処理手段が、取得した各行動要素情報について、「場所」行動要素情報に含まれる位置情報に基づいて、位置情報を含む表示用データを構築し、
（ｄ）行動管理システムのデータ処理手段が、前記表示用データを情報装置に送信し、
（ｅ）情報装置のデータ処理手段が、表示用データを指し示すマーカーもしくは当該表示用データ自体を、一方の軸を緯度、もう一方の軸を経度とした２次元平面上に、前記位置情報の緯度、経度の数値に対応した位置にそれぞれ配置することにより、情報表示手段に地図状に表示する。
【請求項３０】
以下の過程（ｆ）（ｇ）を更に行うことを特徴とする、請求項２９に記載の行動情報視覚化方法。
（ｆ）情報装置のデータ処理手段が地図データベースから地図情報を取得し、
（ｇ）情報装置のデータ処理手段が、前記過程（ｆ）における地図情報を下側のレイヤーとし、前記過程（ｅ）におけるマーカー若しくは表示用データを上側のレイヤーとして、情報表示手段に重ねて表示する。
【請求項３１】
行動の発生順を更に視覚化する為の、請求項２９又は３０に記載の行動情報視覚化方法であって、
前記行動管理システムの行動データベースに保存された「時間」行動要素情報には開始時間情報が含まれており、
前記過程（ｂ）（ｃ）がそれぞれ下記の過程（ｂ）’（ｃ）’に置き換わり、
情報装置が、下記の過程（ｈ）を更に行うことを特徴とする、行動情報視覚化方法。
（ｂ）’行動管理システムのデータ処理手段が、行動管理システムが備える機能（Ｅ）を用いることにより、前記過程（ａ）にて取得された「内容」行動要素情報に関連付けられた「場所」行動要素情報及び「時間」行動要素情報を、参照値を用いて行動管理システムの行動データベースから取得し、
（ｃ）’行動管理システムのデータ処理手段が、取得した各行動要素情報について、「場所」行動要素情報に含まれる位置情報に基づいて、位置情報と開始時間情報とを含む表示用データを構築し、
（ｈ）情報装置のデータ処理手段が、表示用データ内の開始時間情報の値が小さい順に、前記マーカー若しくは表示用データの間に線を引く。
【請求項３２】
請求項２９から３１のいずれか一つに記載の行動情報視覚化方法であって、
情報装置が、位置情報受信装置を内蔵した持ち運び可能な情報装置であり、
以下の過程（ｉ）から（ｌ）を更に行うことを特徴とする、行動情報視覚化方法。
（ｉ）情報装置のデータ処理手段が、位置情報受信装置を用いて現在地の位置情報を一定時間毎に受信し、該位置情報を検索条件として指定した情報検索要求を行動管理システムにその都度送信し、
（ｊ）行動管理システムのデータ処理手段が、受信した位置情報によって示される位置の一定距離内に含まれる位置を示す位置情報を有する「場所」オブジェクトを行動データベースから検索し、
（ｋ）前記検索の結果、該当する「場所」オブジェクトが存在した場合、行動管理システムのデータ処理手段が情報装置にメッセージを送信し、
（ｌ）メッセージを受信した情報装置は、その旨を通知する。
【請求項３３】
予定情報を視覚化する為の、請求項２９から３２のいずれか一つに記載の行動情報視覚化方法であって、
前記過程（ａ）において、検索条件にて指定された所定の時刻よりも大きい開始時間属性情報を有する「時間」行動要素情報と参照値によって関連付けられた「内容」行動要素情報のみを行動管理システムの行動データベースより取得することを特徴とする、行動情報視覚化方法。
【請求項３４】
ユーザーに予定を通知する為の、請求項３３に記載の行動情報視覚化方法であって、
情報装置が、位置情報受信装置を内蔵した持ち運び可能な情報装置であり、
前記過程（ｂ）（ｃ）又は（ｂ）’（ｃ）’が、それぞれ下記の過程（ｂ）’’（ｃ）’’に置き換わり、
以下の過程（ｍ）から（ｏ）を更に行うことを特徴とする、行動情報視覚化方法。
（ｂ）’’行動管理システムのデータ処理手段が、行動管理システムが備える機能（Ｅ）を用いることにより、前記過程（ａ）にて取得された「内容」行動要素情報に関連付けられた「場所」行動要素情報及び「時間」行動要素情報を、参照値を用いて行動管理システムの行動データベースから取得し、
（ｃ）’’行動管理システムのデータ処理手段が、取得した各行動要素情報について、「場所」行動要素情報に含まれる位置情報に基づいて、位置情報と開始時間情報とを含む表示用データを構築し、
（ｍ）情報装置のデータ処理手段が、位置情報受信装置を用いて現在地の位置情報を一定時間毎に受信し、
（ｎ）情報装置のデータ処理手段が、前記（ｍ）で取得した位置情報と、前記表示用データの位置情報を基に、現在地から予定が行われる場所への移動に必要な所要時間Ｐを計算、もしくは外部システムから取得し、
（ｏ）情報装置のデータ処理手段が、前記表示用データの開始時間情報から前記移動時間Ｐを引いた時刻が、情報装置のシステム時刻に所定のマージン時間Ｍを加えた時刻以前となった場合、その旨の通知を行う。
【請求項３５】
過去の行動履歴を視覚化する為の、請求項２９から３２のいずれか一つに記載の行動情報視覚化方法であって、
前記過程（ａ）において、検索条件にて指定された所定の時刻よりも小さい開始時間属性情報を有する「時間」行動要素情報と参照値によって関連付けられた「内容」行動要素情報のみを行動管理システムの行動データベースより取得することを特徴とする、行動情報視覚化方法。
【請求項３６】
請求項６に記載の行動管理システムに保存されている行動情報に含まれるメディアを、情報装置の情報表示手段に地図状に視覚化する為の方法であって、
前記情報装置はデータ処理手段と情報表示手段を備えており、
前記行動管理システムの行動データベースに保存された「場所」行動要素情報には位置情報が含まれており、
前記行動管理システムの行動データベースに保存された「メディア」行動要素情報にはメディアの保存場所を示す情報（保存場所情報）が含まれており、
該方法が以下の過程（ｐ）から（ｔ）からなることを特徴とする、メディアの視覚化方法。
（ｐ）行動管理システムのデータ処理手段が、情報装置より入力された情報検索要求に含まれる検索条件に従って、行動管理システムが備える機能（Ｄ）を用いることにより、検索条件に合致する「メディア」行動要素情報を行動管理システムの行動データベースから取得し、
（ｑ）行動管理システムのデータ処理手段が、行動管理システムが備える機能（Ｅ）を用いることにより、前記過程（ｐ）にて取得された「メディア」行動要素情報に関連付けられた「場所」行動要素情報を、参照値を用いて行動管理システムの行動データベースから取得し、
（ｒ）行動管理システムのデータ処理手段が、取得した各行動要素情報について、「場所」行動要素情報に含まれる位置情報に基づいて、位置情報と保存場所情報とを含む表示用データを構築し、
（ｓ）行動管理システムのデータ処理手段が、前記表示用データを情報装置に送信し、
（ｔ）情報装置のデータ処理手段が、表示用データ内の保存場所情報が指し示すメディア情報もしくはそれを示すマーカーを、一方の軸を緯度、もう一方の軸を経度とした２次元平面上に、前記位置情報の緯度、経度の数値に対応した位置にそれぞれ配置することにより、情報表示手段に地図状に表示する。
【請求項３７】
以下の過程（ｆ）（ｇ）を更に行うことを特徴とする、請求項３６に記載のメディアの視覚化方法。
（ｆ）情報装置のデータ処理手段が地図データベースから地図情報を取得し、
（ｇ）情報装置のデータ処理手段が、前記過程（ｆ）における地図情報を下側のレイヤーとし、前記過程（ｔ）におけるメディア情報を上側のレイヤーとして、情報表示手段に重ねて表示する。
【請求項３８】
請求項３または６に記載の行動管理システムに保存されている行動要素情報に基づいて、予定や過去の行動履歴を、情報装置の情報表示手段に日記状に表示する為の、行動情報表示方法であって、
前記情報装置はデータ処理手段と情報表示手段を備えており、
該方法が以下の過程（ｕ）から（ｙ）からなることを特徴とする、行動情報表示方法。
（ｕ）行動管理システムのデータ処理手段が、情報装置より入力された情報検索要求に含まれる検索条件に従って、行動管理システムが備える機能（Ｄ）を用いることにより、検索条件に合致する「内容」行動要素情報を行動管理システムの行動データベースから取得し、
（ｖ）行動管理システムのデータ処理手段が、行動管理システムが備える機能（Ｅ）を用いることにより、前記過程（ｕ）にて取得された「内容」行動要素情報に関連付けられた一種類以上の行動要素情報を、参照値を用いて行動管理システムの行動データベースから取得し、
（ｗ）行動管理システムのデータ処理手段が、取得した、参照値によって関連付けられた行動要素情報同士をまとめることによって、一つの「内容」行動要素情報につき一つのグループが形成されるようなグループ化を行い、表示用データを各グループ毎に一つずつ構築し、
（ｘ）行動管理システムのデータ処理手段が、前記表示用データを情報装置に送信し、
（ｙ）情報装置のデータ処理手段が、一つの表示用データ毎に１ページの単票形式で、表示用データを情報表示手段に表示する。
【請求項３９】
請求項３８に記載の行動情報表示方法であって、
行動管理システムの行動データベースに保存された「場所」行動要素情報には位置情報が含まれ、かつ、前記過程（ｘ）において情報装置に送信される各表示用データにも当該位置情報が含まれており、
前記過程（ｙ）において情報表示手段に表示される前記単票に、表示されている表示用データに対応するマーカーが一つ配置された、一方の軸を緯度、もう一方の軸を経度とした２次元平面形状の地図表示が含まれ、
該地図表示における一つのマーカーは、前記表示用データ内の位置情報の緯度、経度の数値に対応した位置に配置されることを特徴とする、行動情報表示方法。
【請求項４０】
以下の過程（ｆ）（ｇ）を更に行うことを特徴とする、請求項３９に記載の行動情報表示方法。
（ｆ）情報装置のデータ処理手段が地図データベースから地図情報を取得し、
（ｇ）情報装置のデータ処理手段が、前記過程（ｆ）における地図情報を下側のレイヤーとし、前記マーカーを上側のレイヤーとして、情報表示手段に重ねて表示する。
【請求項４１】
請求項３または６に記載の行動管理システムに保存されている「人」行動要素情報を中心に情報を集約し、情報装置の情報表示手段に表示するための、個人情報集約表示方法であって、
情報装置はデータ処理手段と情報表示手段を備えており、
該方法が以下の過程（ｚ）から（ａｅ）からなることを特徴とする、個人情報集約表示方法。
（ｚ）行動管理システムのデータ処理手段が、情報装置より入力された情報検索要求に含まれる検索条件に従って、行動管理システムが備える機能（Ｄ）を用いることにより、検索条件に合致する「人」行動要素情報を行動管理システムの行動データベースから取得し、
（ａａ）行動管理システムのデータ処理手段が、行動管理システムが備える機能（Ｅ）を用いることにより、前記過程（ｚ）にて取得された「人」行動要素情報に関連付けられた「内容」行動要素情報を、参照値を用いて行動管理システムの行動データベースから取得し、
（ａｂ）行動管理システムのデータ処理手段が、行動管理システムが備える機能（Ｅ）を用いることにより、前記過程（ａａ）にて取得された「内容」行動要素情報に関連付けられた一種類以上の行動要素情報を、参照値を用いて行動管理システムの行動データベースから取得し、
（ａｃ）行動管理システムのデータ処理手段が、取得した、参照値によって関連付けられた行動要素情報同士をまとめることによって、一つの「人」行動要素情報につき一つのグループが形成されるようなグループ化を行い、表示用データを各グループ毎に一つずつ構築し、
（ａｄ）行動管理システムのデータ処理手段が、前記表示用データを情報装置に送信し、
（ａｅ）情報装置のデータ処理手段が、一つの表示用データ毎に１ページの単票形式で、表示用データを情報表示手段に表示する。
【請求項４２】
請求項４１に記載の個人情報集約表示方法であって、
行動管理システムの行動データベースに保存された「場所」行動要素情報には位置情報が含まれ、かつ、前記過程（ａｄ）において情報装置に送信される各表示用データにも当該位置情報が含まれており、
前記過程（ａｅ）において情報表示手段に表示される前記単票に、表示されている表示用データに対応するマーカーが配置された、一方の軸を緯度、もう一方の軸を経度とした２次元平面形状の地図表示が含まれ、
該地図表示におけるマーカーは、前記表示用データ内の位置情報の緯度、経度の数値に対応した位置にそれぞれ配置されることを特徴とする、個人情報集約表示方法。
【請求項４３】
以下の過程（ｆ）（ｇ）を更に行うことを特徴とする、請求項４２に記載の個人情報集約表示方法。
（ｆ）情報装置のデータ処理手段が地図データベースから地図情報を取得し、
（ｇ）情報装置のデータ処理手段が、前記過程（ｆ）における地図情報を下側のレイヤーとし、前記マーカーを上側のレイヤーとして、情報表示手段に重ねて表示する。
【請求項４４】
前記情報装置と行動管理システムが単一の情報装置で構成され、情報装置のデータ処理手段と行動管理システムのデータ処理手段が単一のデータ処理手段に統合されており、情報装置と行動管理システムとの間のデータの入出力に係る過程が不要となることを特徴とする、請求項２９から４３のいずれか一つに記載の方法。
【発明の詳細な説明】
【技術分野】
【０００１】
本発明は、個人の行動を管理する一般的なツールを集約／拡張し、個人の行動を一括管理することで、従来の予定表や日記の様に時系列に囚われず、「時間」以外の要素でも行動情報を集約、管理をすることができ、かつ、用途が変わってもデータを再利用できる柔軟性を備えた行動情報多次元管理システム、及び、その管理方法に関するものである。
【背景技術】
【０００２】
将来の予定や、過去の行動履歴である日記等の、個人の行動を管理するツールとして、日記アプリケーションやウェブログ、写真アルバム、行動管理アプリケーション、住所録管理アプリケーション等の各種アプリケーション／サービスが存在する。これらのアプリケーション／サービスは、パーソナルコンピュータや携帯電話、ＰＤＡ等の情報機器に搭載されるのが一般的である。
【０００３】
情報機器に内蔵される、もしくはネットワークで接続された記憶装置に保存される予定管理情報や住所録管理情報について、予定管理情報フォーマットのデファクトスタンダードとしてｖＣａｌｅｎｄａｒ形式（ｉＣａｌｅｎｄａｒ−ＲＦＣ２４４５，ＲＦＣ２４４６，ＲＦＣ２４４７)が存在し、一方、住所録管理フォーマットのデファクトスタンダードとしてｖＣａｒｄ形式（ＲＦＣ２４２５，ＲＦＣ２４２６）が存在する。
【０００４】
従来のスケジュール管理装置として、特許第３５３４５２８号明細書には、１日単位や週間単位の表示でスケジュールを確認した場合でも、その日やその週における期間スケジュールの設定期間や予定内容を見ることができるようにしたスケジュール管理装置が記載されている。
【特許文献１】特許第３５３４５２８号明細書
【発明の開示】
【発明が解決しようとする課題】
【０００５】
将来から過去までの行動管理に係るアプリケーションソフトやサービスとして例えば上述のようなものが存在するが、これらは別々の形態で提供されており、各ソフトウェア間でデータの互換性があることは稀である。その為、各アプリケーション／サービスを利用して将来の予定や過去の行動履歴を管理しようとするユーザーは、上述のような別個独立したサービスを複数用いて個人の予定や行動履歴を管理しなければならないのが現状である。
そのため、各ソフトウェア間で手作業での情報修正やデータ変換が必要となるなど、ユーザー側の管理負担が大きいという潜在的な問題点があった。
【０００６】
また、従来の行動管理アプリケーションは時間が管理軸となっているが故に、常に「いつ、何をする／した」と言う情報管理構造になっており、例えば「”どこ”で，いつ何をする／した」や、「”誰”といつ何をする／した」というような、「場所」や「人」等を主たる管理軸として予定や行動履歴を管理／表示することができなかった。
かかる従来の行動管理アプリケーションを用いて、行動情報を「場所」や「人」単位で検索しようとすると、ユーザーの記憶に頼って「〜に行ったのは去年の夏だから〜」「〜と会ったのは確か一昨年だから」と、場所や人を時間に変換してから検索するか、あるいは記憶に頼って文字検索をするしかなかった。このような変換コストや管理コストは極めて大きく、ユーザーにとって負担が大きいものである。
更に、行動情報の管理にユーザー自身の記憶力に頼る必要がある従来の行動管理アプリケーションでは、記憶が確かな時にしか行動情報をうまく管理することができないという問題点がある。例えば、札幌に行ったことは覚えていても、いつ行ったのかを忘れてしまった場合、「時間」を単位軸とした情報検索が出来ない。このような、記憶の劣化に伴って目的情報に辿り着けなくなってしまうという現象が、高齢者等によくみられる。
【０００７】
また、例えば「札幌に二十歳の時に行ったのは覚えているけど、誰と行ったのかを思い出せない」、「佐藤さんと銀座に行ったのは覚えているけど、何をしに行ったか覚えていない」などの、行動を構成する情報間の関連について部分的に忘却してしまう事態は日常生活で頻繁に起こり得るものである。そして、かかる部分的な忘却もまた、特に高齢者で顕著である。しかし、従来の行動管理アプリケーションでは、このような情報間の関連を効率的に検索／再構成することができないものであった。
【０００８】
予定管理をするフォーマットとしてデファクトスタンダードとなっているｉＣａｌｅｎｄａｒ（ＲＦＣ２４４５）においては、「予定（時間＋内容）」が管理の単位次元となっており、時間単位に参加者情報や場所名称が埋め込まれてしまうため、参加者情報や場所情報等を用いて行動情報を管理／検索する事ができない。また、ｉＣａｌｅｎｄａｒは人情報や場所情報を格納できる自由度が低いため、これらの情報も合わせて管理するには、他のツールの補助的な利用が必要となる。更に、行動管理においても、予定表や日記等と、時系列で別のツールを使用することになるので、行動情報の管理が分散してしまうという問題点がある。
【０００９】
また、特許第３５３４５２８号明細書に記載のスケジュール管理装置も、管理の単位次元は時間と内容であり、参加者情報や場所情報等を用いて行動情報を十分に管理することができないものである。
【課題を解決するための手段】
【００１０】
従来の行動管理アプリケーション等で生じる上述のような問題を解決するため、本発明においては、入力された予定や行動履歴等の行動情報を「人」「場所」「時間」「内容」の４種類、もしくはこれに「メディア」を加えた５種類の行動要素情報に分割し、各行動要素情報間の関連性を保持するために、分割した各行動要素情報に対して、同一行動情報内に含まれる他の行動要素情報への参照値を付与した上でデータベースに保存し、一括管理することを提案する。
ここで、参照値の付与は、どの行動要素情報を基点とした場合であっても、参照値を順次たどることによって分割前の行動情報を再構成できるように行われる。
従来のアプリケーションでは情報管理の軸が「時間」軸に固定されていたのに対し、本発明に係る上述のような構成にすれば、固定された管理軸が無くなり、分割されたどの行動要素情報からでも行動情報を検索、再構成できるようになるため、ユーザーの情報検索の利便性が大幅に向上し、また、別個に分割された行動要素情報を適宜組み合わせることにより、柔軟な情報出力が可能となる。
更に、行動情報をこのように別個に分割してデータベースに保存しておけば、システムの用途が変わっても、蓄積されているデータを容易に再利用できるという利点がある。
以下、このような新たな行動情報管理概念に基づいた本発明について、詳細に説明する。
【００１１】
ここで、本発明における「行動情報」とは、論理的な意味合いとしては、将来のスケジュールを表す予定情報や、過去の日記を表す行動履歴情報等の、個人の行動を表す情報を指すものである。
一方、各システムによって処理される「データとしての行動情報」は、「人」「場所」「時間」「内容」「メディア」に係る情報から構成される情報を指す。但し、「メディア」情報は任意の付加的情報であって、必ずしも行動情報に含まれていなくても良い。
【００１２】
例えば、ユーザーから入力された「田中さん、鈴木さんと渋谷で来週の水曜日の１２時に、ご飯を食べる」と言う予定を表す行動情報は、
「田中さん」「鈴木さん」という二つの「人」に係る情報、
「渋谷」という一つの「場所」に係る情報、
「来週水曜日の１２時」という一つの「時間」に係る情報、および、
「ご飯を食べる」という一つの「内容」に係る情報から構成される行動情報である。
逆に、前記「田中さん」「鈴木さん」「渋谷」「来週水曜日の１２時」「ご飯を食べる」という各情報は、それぞれ、分割前の元の行動情報「田中さん、鈴木さんと渋谷で来週の水曜日の１２時に、ご飯を食べる」を構成する行動要素情報である。
【００１３】
なお、既にデータベースに登録されている情報の再利用の観点からすると、ユーザーは常に完全な行動情報を入力する必要があるとは限らない。例えば、人を示す行動要素情報「田中さん」が既にデータベースに登録されている場合、ユーザーが情報装置等を介して、既登録の人物「田中さん」を単に選択することにより、人を示す行動要素情報の再度の入力を省き、他の種類の行動要素情報のみの入力で事足りるようにシステムを構成することが可能である。
【００１４】
また、「メディア」行動要素情報とは、その行動に関連した、例えば食事や運動会の際に撮影された写真やビデオファイル、聴いていた音楽の音声ファイル等の「メディア」を示す情報である。
【００１５】
上述のように、入力された予定や行動履歴等の行動情報を「人」「場所」「時間」「内容」の４種類、もしくはこれに「メディア」を加えた５種類の行動要素情報に分割し、各行動要素情報間の関連性を保持するために、分割した各行動要素情報に対して、同一行動情報内に含まれる他の行動要素情報への参照値を付与した上でデータベースに保存し、該データベースにて一括管理することにより、管理標準にしている単位次元が存在しないこととなる。これにより、過去の出来事や将来の予定等を「誰と」「どこで」「いつ」「何をした」のどの経路からでも情報検索することができ、また、どの経路からでも、入力された元の行動情報を再構成することができるようになる。
【００１６】
本発明はまた、前述のような行動情報管理がなされた管理システムを用いて、情報を地図状に視覚化するシステムも対象とする。
かかる行動情報視覚化システムにおいては、前記参照値を用いて表示に必要な情報を集約し、分割管理されている構成要素情報「場所」行動要素情報に含まれる位置情報を基礎として表示用データを構成し、構成された表示用データを、位置情報の緯度、経度に応じて地図状に配置することにより情報の視覚化を行う。
この視覚化により、「どこで何をするか」と言った「場所」を検索キーとした予定検索が可能となるだけでなく、情報機器に地図状に表示された予定を視認する事によって，利用者自身が複数の予定を最適化することが可能になる。
例えば、週をまたがって銀座近辺に複数の予定が集中している場合、「時間」単位でしか情報検索が出来ない従来のカレンダーアプリケーションでは、近くで他の予定がある事に利用者が気づくことができないのに対し、本発明に係る行動情報視覚化システムにより行動情報を地図状に視覚化すれば、近くに複数の予定が集中している事をユーザーが容易に視認することができる為、「では、これらの用事を１回で済ませてしまおう」と言ったユーザー自身による予定の最適化が容易なものとなる。
なお、前記位置情報の具体例としてＧＰＳ座標情報が挙げられるが、他の種類の位置情報であっても、その情報が位置（緯度と経度）を特定することができるものであれば、前記視覚化を行う事ができ、本願発明における位置情報として用いることが可能である。例えば、現在進められている「ガリレオ計画」等の他の位置情報サービスを利用して得られた位置情報であってもよい。以後は、位置情報としてＧＰＳ座標情報を採用したと仮定して説明を行う。
【００１７】
また、地図状に配置される行動情報が将来の予定ではなく、過去の行動履歴に係るものであっても、前述のような地図状の視覚化が可能である。このような行動情報の視覚化は、「場所」構成要素情報を基となる単位次元とする事で、「〜に行ったときの写真はどこに保存したのだっけ？」「〜には，誰と行ったのだっけ？」「〜には、いつ行ったのだっけ？」「〜には、何をしに行ったのだっけ？」と言うシステム利用者の問いを解決することができる。
【００１８】
同様に、「内容」構成要素情報を基礎として出来事の参加者、発生場所、発生時間、関連するメディア情報等を集め、出来事の仔細を表示する事も可能である。一般的に、ユーザーが出来事に参加していた人物を全員記憶しつづけるのは困難であり、また、全ての写真について、誰と、どこで、いつ、どんな行事で撮影したかを記憶しつづけるのも難しい。「内容」構成要素情報を基礎として行動情報を再構成する事で、これら問題を解決することができる。
【００１９】
また、「人」構成要素情報を基礎として、その人に関連する予定や過去の出来事、住所等を集約し、住所録の表示も行うことができる。その際、その人に関連する予定や過去の出来事は、前述のように地図状に視覚化して表示することができる。
【００２０】
すなわち、本発明の課題を解決するための手段は、つぎのとおりである。
【００２１】
第１に、
時間軸を含めた複数の管理軸を用いて行動情報を多次元管理する為の行動管理システムであって、
行動管理システムは、データ処理手段と、後述する行動要素情報を保存及び検索する為の行動データベースとを備えており、
行動管理システムが、以下の機能（Ａ）−（Ｃ）を備えていることを特徴とする、行動管理システム。
（Ａ）データ処理手段が、行動管理システムに入力された行動情報を「人」「場所」「時間」「内容」の４種類の行動要素情報に分割し、
（Ｂ）データ処理手段が、一種類以上の行動要素情報に対して、同一行動情報に含まれている他の行動要素情報を指し示す参照値を付与し、この参照値の付与は、分割後のどの行動要素情報を基点とした場合であっても、行動要素情報に付与された参照値をたどることによって分割前の元の行動情報を再構成できるように行われ、
（Ｃ）データ処理手段が、前記参照値付与処理を行った後の各行動要素情報を前記行動データベースに保存する。
第２に、
前記機能（Ｂ）における参照値の付与が、
同一行動情報内に含まれる「人」「場所」「時間」に係る行動要素情報についての参照値を「内容」行動要素情報に付与し、
同一行動情報内に含まれる「人」「場所」「内容」に係る行動要素情報についての参照値を「時間」行動要素情報に付与し、
同一行動情報内に含まれる「人」「時間」「内容」に係る行動要素情報についての参照値を「場所」行動要素情報に付与し、
同一行動情報内に含まれる「時間」「内容」「場所」に係る行動要素情報についての参照値を「人」行動要素情報に付与することによって行われることを特徴とする、前記第１に記載の行動管理システム。
第３に、
行動管理システムが以下の機能（Ｄ）（Ｅ）を更に備えていることを特徴とする、前記第１または第２に記載の行動管理システム。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
第４に、
前記機能（Ａ）の代わりに、以下の機能（Ａ）’を備えていることを特徴とする、前記第１に記載の行動管理システム。
（Ａ）’データ処理手段が、入力された行動情報を「人」「場所」「時間」「内容」「メディア」の５種類の行動要素情報に分割する。
第５に、
機能（Ｂ）における参照値の付与が、
同一行動情報内に含まれる「人」「場所」「時間」「内容」に係る行動要素情報についての参照値を「メディア」行動要素情報に付与し、
同一行動情報内に含まれる「人」「場所」「時間」「メディア」に係る行動要素情報についての参照値を「内容」行動要素情報に付与し、
同一行動情報内に含まれる「人」「場所」「内容」「メディア」に係る行動要素情報についての参照値を「時間」行動要素情報に付与し、
同一行動情報内に含まれる「人」「時間」「内容」「メディア」に係る行動要素情報についての参照値を「場所」行動要素情報に付与し、
同一行動情報内に含まれる「場所」「時間」「内容」「メディア」に係る行動要素情報についての参照値を「人」行動要素情報に付与することによって行われることを特徴とする、前記第４に記載の行動管理システム。
第６に、
行動管理システムが以下の機能（Ｄ）（Ｅ）を更に備えていることを特徴とする、前記第４または第５に記載の行動管理システム。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
第７に、
行動情報に含まれる情報の一部または全部を地図状に視覚化する為の、行動情報視覚化システムであって、
行動情報視覚化システムは、情報装置と、前記第３または第６に記載の行動管理システムを備えており、
情報装置はデータ処理手段と情報表示手段を備え、
行動管理システムの行動データベースに保存された「場所」行動要素情報には位置情報が含まれており、
行動管理システム及び情報装置がそれぞれ以下のデータ処理（ａ）から（ｅ）に適合化されていることを特徴とする、行動情報視覚化システム。
（ａ）行動管理システムのデータ処理手段が、情報装置より入力された情報検索要求に含まれる検索条件に従って前記機能（Ｄ）を行って、検索条件に合致する「内容」行動要素情報を行動管理システムの行動データベースから取得し、
（ｂ）行動管理システムのデータ処理手段が前記機能（Ｅ）を行って、前記データ処理（ａ）にて取得された「内容」行動要素情報に関連付けられた「場所」行動要素情報を、参照値を用いて行動管理システムの行動データベースから取得し、
（ｃ）行動管理システムのデータ処理手段が、取得した各行動要素情報について、「場所」行動要素情報に含まれる位置情報に基づいて、位置情報を含む表示用データを構築し、
（ｄ）行動管理システムのデータ処理手段が、前記表示用データを情報装置に送信し、
（ｅ）情報装置のデータ処理手段が、表示用データを指し示すマーカーもしくは当該表示用データ自体を、一方の軸を緯度、もう一方の軸を経度とした２次元平面上に、前記位置情報の緯度、経度の数値に対応した位置にそれぞれ配置することにより、情報表示手段に地図状に表示する。
第８に、  情報装置が以下のデータ処理（ｆ）（ｇ）に更に適合化されていることを特徴とする、前記第７に記載の行動情報視覚化システム。
（ｆ）情報装置のデータ処理手段が地図データベースから地図情報を取得し、
（ｇ）情報装置のデータ処理手段が、前記データ処理（ｆ）における地図情報を下側のレイヤーとし、前記データ処理（ｅ）におけるマーカー若しくは表示用データを上側のレイヤーとして、情報表示手段に重ねて表示する。
第９に、
行動の発生順を更に視覚化する為の、前記第７又は第８に記載の行動情報視覚化システムであって、
行動管理システムの行動データベースに保存された「時間」行動要素情報には開始時間情報が含まれており、
前記データ処理（ｂ）（ｃ）がそれぞれ下記データ処理（ｂ）’（ｃ）’に置き換わり、
情報装置が、下記データ処理（ｈ）に更に適合化されていることを特徴とする行動情報視覚化システム。
（ｂ）’行動管理システムのデータ処理手段が前記機能（Ｅ）を行って、前記データ処理（ａ）にて取得された「内容」行動要素情報に関連付けられた「場所」行動要素情報及び「時間」行動要素情報を、参照値を用いて行動管理システムの行動データベースから取得し、
（ｃ）’行動管理システムのデータ処理手段が、取得した各行動要素情報について、「場所」行動要素情報に含まれる位置情報に基づいて、位置情報と開始時間情報とを含む表示用データを構築し、
（ｈ）情報装置のデータ処理手段が、表示用データ内の開始時間情報の値が小さい順に、前記マーカー若しくは表示用データの間に線を引く。
第１０に、
前記第７から第９のいずれか一つに記載の行動情報視覚化システムであって、
情報装置が、位置情報受信装置を内蔵した持ち運び可能な情報装置であり、
行動管理システム及び情報装置がそれぞれ、以下のデータ処理（ｉ）から（ｌ）に適合化されていることを特徴とする、行動情報視覚化システム。
（ｉ）情報装置のデータ処理手段が、位置情報受信装置を用いて現在地の位置情報を一定時間毎に受信し、該位置情報を検索条件として指定した情報検索要求を行動管理システムにその都度送信し、
（ｊ）行動管理システムのデータ処理手段が、受信した位置情報によって示される位置の一定距離内に含まれる位置を示す位置情報を有する「場所」行動要素情報を行動データベースから検索し、
（ｋ）前記検索の結果、該当する「場所」行動要素情報が存在した場合、行動管理システムのデータ処理手段が情報装置にメッセージを送信し、
（ｌ）メッセージを受信した情報装置は、その旨を通知する。
なお、位置情報受信装置の例としてＧＰＳ受信装置がある。
第１１に、
予定情報を視覚化する為の、前記第７から第１０のいずれか一つに記載の行動情報視覚化システムであって、
前記データ処理（ａ）において、検索条件にて指定された所定の時刻よりも大きい開始時間属性情報を有する「時間」行動要素情報と参照値によって関連付けられた「内容」行動要素情報のみを行動管理システムの行動データベースより取得することを特徴とする、行動情報視覚化システム。
第１２に、
ユーザーに予定を通知する為の、前記第１１に記載の行動情報視覚化システムであって
情報装置が、位置情報受信装置を内蔵した持ち運び可能な情報装置であり、
前記データ処理（ｂ）（ｃ）又は（ｂ）’（ｃ）’が、それぞれ下記データ処理（ｂ）’’（ｃ）’’に置き換わり、
情報装置が、以下のデータ処理（ｍ）から（ｏ）に適合化されていることを特徴とする、行動情報視覚化システム。
（ｂ）’’行動管理システムのデータ処理手段が前記機能（Ｅ）を行って、前記データ処理（ａ）にて取得された「内容」行動要素情報に関連付けられた「場所」行動要素情報及び「時間」行動要素情報を、参照値を用いて行動管理システムの行動データベースから取得し、
（ｃ）’’行動管理システムのデータ処理手段が、取得した各行動要素情報について、「場所」行動要素情報に含まれる位置情報に基づいて、位置情報と開始時間情報とを含む表示用データを構築し、
（ｍ）情報装置のデータ処理手段が、位置情報受信装置を用いて現在地の位置情報を一定時間毎に受信し、
（ｎ）情報装置のデータ処理手段が、前記（ｍ）で取得した位置情報と、前記表示用データの位置情報を基に、現在地から予定が行われる場所への移動に必要な所要時間Ｐを計算、もしくは外部システムから取得し、
（ｏ）情報装置のデータ処理手段が、前記表示用データの開始時間情報から前記移動時間Ｐを引いた時刻が、情報装置のシステム時刻に所定のマージン時間Ｍを加えた時刻以前となった場合、その旨の通知を行う。
第１３に、
過去の行動履歴を視覚化する為の、前記第７から第１０のいずれか一つに記載の行動情報視覚化システムであって、
前記データ処理（ａ）において、検索条件にて指定された所定の時刻よりも小さい開始時間属性情報を有する「時間」行動要素情報と参照値によって関連付けられた「内容」行動要素情報のみを行動管理システムの行動データベースより取得することを特徴とする、行動情報視覚化システム。
第１４に、
行動情報に含まれるメディアを地図状に視覚化する為の、メディアアルバムシステムであって、
メディアアルバムシステムは、情報装置と、前記第６に記載の行動管理システムを備えており、
情報装置はデータ処理手段と情報表示手段を備え、
行動管理システムの行動データベースに保存された「場所」行動要素情報には位置情報が含まれており、
行動管理システムの行動データベースに保存された「メディア」行動要素情報にはメディアの保存場所を示す情報（保存場所情報）が含まれており、
行動管理システム及び情報機器がそれぞれ以下のデータ処理（ｐ）から（ｔ）に適合化されていることを特徴とする、メディアアルバムシステム。
（ｐ）行動管理システムのデータ処理手段が、情報装置より入力された情報検索要求に含まれる検索条件に従って前期機能（Ｄ）を行って、検索条件に合致する「メディア」行動要素情報を行動管理システムの行動データベースから取得し、
（ｑ）行動管理システムのデータ処理手段が前記機能（Ｅ）を行って、前記データ処理（ｐ）にて取得された「メディア」行動要素情報に関連付けられた「場所」行動要素情報を、参照値を用いて行動管理システムの行動データベースから取得し、
（ｒ）行動管理システムのデータ処理手段が、取得した各行動要素情報について、「場所」行動要素情報に含まれる位置情報に基づいて、位置情報と保存場所情報とを含む表示用データを構築し、
（ｓ）行動管理システムのデータ処理手段が、前記表示用データを情報装置に送信し、
（ｔ）情報装置のデータ処理手段が、表示用データ内の保存場所情報が指し示すメディア情報もしくはそれを示すマーカーを、一方の軸を緯度、もう一方の軸を経度とした２次元平面上に、前記位置情報の緯度、経度の数値に対応した位置にそれぞれ配置することにより、情報表示手段に地図状に表示する。
第１５に、
情報装置が以下のデータ処理（ｆ）（ｇ）に更に適合化されていることを特徴とする、前記第１４に記載のメディアアルバムシステム。
（ｆ）情報装置のデータ処理手段が地図データベースから地図情報を取得し、
（ｇ）情報装置のデータ処理手段が、前記データ処理（ｆ）における地図情報を下側のレイヤーとし、前記データ処理（ｔ）におけるメディア情報を上側のレイヤーとして、情報表示手段に重ねて表示する。
第１６に、
予定や過去の行動履歴を日記状に表示する為の、行動情報表示システムであって、
行動情報表示システムは、情報装置と、前記第３または第６に記載の行動管理システムを備えており、
情報装置はデータ処理手段と情報表示手段を備え、
行動管理システム及び情報装置がそれぞれ以下のデータ処理（ｕ）から（ｙ）に適合化されていることを特徴とする、行動情報表示システム。
（ｕ）行動管理システムのデータ処理手段が、情報装置より入力された情報検索要求に含まれる検索条件に従って前記機能（Ｄ）を行って、検索条件に合致する「内容」行動要素情報を行動管理システムの行動データベースから取得し、
（ｖ）行動管理システムのデータ処理手段が前記機能（Ｅ）を行って、前記データ処理（ｕ）にて取得された「内容」行動要素情報に関連付けられた一種類以上の行動要素情報を、参照値を用いて行動管理システムの行動データベースから取得し、
（ｗ）行動管理システムのデータ処理手段が、取得した、参照値によって関連付けられた行動要素情報同士をまとめることによって、一つの「内容」行動要素情報につき一つのグループが形成されるようなグループ化を行い、表示用データを各グループ毎に一つずつ構築し、
（ｘ）行動管理システムのデータ処理手段が、前記表示用データを情報装置に送信し、
（ｙ）情報装置のデータ処理手段が、一つの表示用データ毎に１ページの単票形式で、表示用データを情報表示手段に表示する。
第１７に、
前記第１６に記載の行動情報表示システムであって、
行動管理システムの行動データベースに保存された「場所」行動要素情報には位置情報が含まれ、かつ、情報装置に送信される各表示用データにも当該位置情報が含まれており、
情報表示手段に表示される前記単票に、表示されている表示用データに対応するマーカーが一つ配置された、一方の軸を緯度、もう一方の軸を経度とした２次元平面形状の地図表示が含まれ、
該地図表示における一つのマーカーは、前記表示用データ内の位置情報の緯度、経度の数値に対応した位置に配置されることを特徴とする、行動情報表示システム。
第１８に、
情報装置が以下のデータ処理（ｆ）（ｇ）に更に適合化されていることを特徴とする、前記第１７に記載の行動情報表示システム。
（ｆ）情報装置のデータ処理手段が地図データベースから地図情報を取得し、
（ｇ）情報装置のデータ処理手段が、前記データ処理（ｆ）における地図情報を下側のレイヤーとし、前記マーカーを上側のレイヤーとして、情報表示手段に重ねて表示する。
第１９に、
「人」行動要素情報を中心に情報を集約し表示するための、個人情報集約表示システムであって、
個人情報集約表示システムは、情報装置と、前記第３または第６に記載の行動管理システムを備えており、
情報装置はデータ処理手段と情報表示手段を備え、
行動管理システム及び情報装置がそれぞれ以下のデータ処理（ｚ）から（ａｅ）に適合化されていることを特徴とする、個人情報集約表示システム。
（ｚ）行動管理システムのデータ処理手段が、情報装置より入力された情報検索要求に含まれる検索条件に従って前期機能（Ｄ）を行って、検索条件に合致する「人」行動要素情報を行動管理システムの行動データベースから取得し、
（ａａ）行動管理システムのデータ処理手段が前記機能（Ｅ）を行って、前記データ処理（ｚ）にて取得された「人」行動要素情報に関連付けられた「内容」行動要素情報を、参照値を用いて行動管理システムの行動データベースから取得し、
（ａｂ）行動管理システムのデータ処理手段が前記機能（Ｅ）を行って、前記データ処理（ａａ）にて取得された「内容」行動要素情報に関連付けられた一種類以上の行動要素情報を、参照値を用いて行動管理システムの行動データベースから取得し、
（ａｃ）行動管理システムのデータ処理手段が、取得した、参照値によって関連付けられた行動要素情報同士をまとめることによって、一つの「人」行動要素情報につき一つのグループが形成されるようなグループ化を行い、表示用データを各グループ毎に一つずつ構築し、
（ａｄ）行動管理システムのデータ処理手段が、前記表示用データを情報装置に送信し、
（ａｅ）情報装置のデータ処理手段が、一つの表示用データ毎に１ページの単票形式で、表示用データを情報表示手段に表示する。
第２０に、
前記第１９に記載の個人情報集約表示システムであって、
行動管理システムの行動データベースに保存された「場所」行動要素情報には位置情報が含まれ、かつ、情報装置に送信される各表示用データにも当該位置情報が含まれており、
情報表示手段に表示される前記単票に、表示されている表示用データに対応するマーカーが配置された、一方の軸を緯度、もう一方の軸を経度とした２次元平面形状の地図表示が含まれ、
該地図表示におけるマーカーは、前記表示用データ内の位置情報の緯度、経度の数値に対応した位置にそれぞれ配置されることを特徴とする、個人情報集約表示システム。
第２１に、
情報装置が以下のデータ処理（ｆ）（ｇ）に更に適合化されていることを特徴とする、前記第２０に記載の個人情報集約表示システム。
（ｆ）情報装置のデータ処理手段が地図データベースから地図情報を取得し、
（ｇ）情報装置のデータ処理手段が、前記データ処理（ｆ）における地図情報を下側のレイヤーとし、前記マーカーを上側のレイヤーとして、情報表示手段に重ねて表示する。
第２２に、
前記情報装置と行動管理システムが単一の情報装置で構成され、情報装置のデータ処理手段と行動管理システムのデータ処理手段が単一のデータ処理手段に統合されており、情報装置と行動管理システムとの間のデータの入出力に係る各データ処理が不要となることを特徴とする、前記第７から第２１のいずれか一つに記載のシステム。
【００２２】
第２３に、
データ処理手段と、後述する行動要素情報を保存及び検索する為の行動データベースとを備えた行動管理システムにおいて、時間軸を含めた複数の管理軸を用いて行動情報を多次元管理する為の行動管理方法であって、
以下の過程（Ａ）−（Ｃ）からなることを特徴とする、行動管理方法。
（Ａ）データ処理手段が、行動管理システムに入力された行動情報を「人」「場所」「時間」「内容」の４種類の行動要素情報に分割し、
（Ｂ）データ処理手段が、一種類以上の行動要素情報に対して、同一行動情報に含まれている他の行動要素情報を指し示す参照値を付与し、この参照値の付与は、分割後のどの行動要素情報を基点とした場合であっても、行動要素情報に付与された参照値をたどることによって分割前の元の行動情報を再構成できるように行われ、
（Ｃ）データ処理手段が、前記参照値付与処理を行った後の各行動要素情報を前記行動データベースに保存する。
第２４に、
前記過程（Ｂ）における参照値の付与が、
同一行動情報内に含まれる「人」「場所」「時間」に係る行動要素情報についての参照値を「内容」行動要素情報に付与し、
同一行動情報内に含まれる「人」「場所」「内容」に係る行動要素情報についての参照値を「時間」行動要素情報に付与し、
同一行動情報内に含まれる「人」「時間」「内容」に係る行動要素情報についての参照値を「場所」行動要素情報に付与し、
同一行動情報内に含まれる「時間」「内容」「場所」に係る行動要素情報についての参照値を「人」行動要素情報に付与することによって行われることを特徴とする、前記第２３に記載の行動管理方法。
第２５に、
前記過程（Ｃ）の後に、以下の過程（Ｄ）（Ｅ）を更に行うことを特徴とする、前記第２３または第２４に記載の行動管理方法。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
第２６に、
前記過程（Ａ）の代わりに、以下の過程（Ａ）’を行うことを特徴とする、前記第２３に記載の行動管理方法。
（Ａ）’データ処理手段が、入力された行動情報を「人」「場所」「時間」「内容」「メディア」の５種類の行動要素情報に分割する。
第２７に、
前記過程（Ｂ）における参照値の付与が、
同一行動情報内に含まれる「人」「場所」「時間」「内容」に係る行動要素情報についての参照値を「メディア」行動要素情報に付与し、
同一行動情報内に含まれる「人」「場所」「時間」「メディア」に係る行動要素情報についての参照値を「内容」行動要素情報に付与し、
同一行動情報内に含まれる「人」「場所」「内容」「メディア」に係る行動要素情報についての参照値を「時間」行動要素情報に付与し、
同一行動情報内に含まれる「人」「時間」「内容」「メディア」に係る行動要素情報についての参照値を「場所」行動要素情報に付与し、
同一行動情報内に含まれる「場所」「時間」「内容」「メディア」に係る行動要素情報についての参照値を「人」行動要素情報に付与することによって行われることを特徴とする、前記第２６に記載の行動管理方法。
第２８に、
以下の過程（Ｄ）（Ｅ）を更に行うことを特徴とする、前記第２６または第２７に記載の行動管理方法。
（Ｄ）データ処理手段が、行動管理システムに入力された情報検索要求に含まれる検索条件に合致する行動要素情報を行動データベースから取得し、
（Ｅ）データ処理手段が、取得した行動要素情報に関連付けられた行動要素情報を、前記参照値を用いて行動データベースより更に取得する。
第２９に、
前記第３または第６に記載の行動管理システムに保存されている行動情報に含まれる情報の一部または全部を、情報装置の情報表示手段に地図状に視覚化する為の、行動情報視覚化方法であって、
前記情報装置はデータ処理手段と情報表示手段を備えており、
前記行動管理システムの行動データベースに保存された「場所」行動要素情報には位置情報が含まれており、
該方法が以下の過程（ａ）から（ｅ）からなることを特徴とする、行動情報視覚化方法。
（ａ）行動管理システムのデータ処理手段が、情報装置より入力された情報検索要求に含まれる検索条件に従って、行動管理システムが備える機能（Ｄ）を用いることにより、検索条件に合致する「内容」行動要素情報を行動管理システムの行動データベースから取得し、
（ｂ）行動管理システムのデータ処理手段が、行動管理システムが備える機能（Ｅ）を用いることにより、前記過程（ａ）にて取得された「内容」行動要素情報に関連付けられた「場所」行動要素情報を、参照値を用いて行動管理システムの行動データベースから取得し、
（ｃ）行動管理システムのデータ処理手段が、取得した各行動要素情報について、「場所」行動要素情報に含まれる位置情報に基づいて、位置情報を含む表示用データを構築し、
（ｄ）行動管理システムのデータ処理手段が、前記表示用データを情報装置に送信し、
（ｅ）情報装置のデータ処理手段が、表示用データを指し示すマーカーもしくは当該表示用データ自体を、一方の軸を緯度、もう一方の軸を経度とした２次元平面上に、前記位置情報の緯度、経度の数値に対応した位置にそれぞれ配置することにより、情報表示手段に地図状に表示する。
第３０に、
以下の過程（ｆ）（ｇ）を更に行うことを特徴とする、前記第２９に記載の行動情報視覚化方法。
（ｆ）情報装置のデータ処理手段が地図データベースから地図情報を取得し、
（ｇ）情報装置のデータ処理手段が、前記過程（ｆ）における地図情報を下側のレイヤーとし、前記過程（ｅ）におけるマーカー若しくは表示用データを上側のレイヤーとして、情報表示手段に重ねて表示する。
第３１に、
行動の発生順を更に視覚化する為の、前記第２９又は第３０に記載の行動情報視覚化方法であって、
前記行動管理システムの行動データベースに保存された「時間」行動要素情報には開始時間情報が含まれており、
前記過程（ｂ）（ｃ）がそれぞれ下記の過程（ｂ）’（ｃ）’に置き換わり、
情報装置が、下記の過程（ｈ）を更に行うことを特徴とする、行動情報視覚化方法。
（ｂ）’行動管理システムのデータ処理手段が、行動管理システムが備える機能（Ｅ）を用いることにより、前記過程（ａ）にて取得された「内容」行動要素情報に関連付けられた「場所」行動要素情報及び「時間」行動要素情報を、参照値を用いて行動管理システムの行動データベースから取得し、
（ｃ）’行動管理システムのデータ処理手段が、取得した各行動要素情報について、「場所」行動要素情報に含まれる位置情報に基づいて、位置情報と開始時間情報とを含む表示用データを構築し、
（ｈ）情報装置のデータ処理手段が、表示用データ内の開始時間情報の値が小さい順に、前記マーカー若しくは表示用データの間に線を引く。
第３２に、
前記第２９から第３１のいずれか一つに記載の行動情報視覚化方法であって、
情報装置が、位置情報受信装置を内蔵した持ち運び可能な情報装置であり、
以下の過程（ｉ）から（ｌ）を更に行うことを特徴とする、行動情報視覚化方法。
（ｉ）情報装置のデータ処理手段が、位置情報受信装置を用いて現在地の位置情報を一定時間毎に受信し、該位置情報を検索条件として指定した情報検索要求を行動管理システムにその都度送信し、
（ｊ）行動管理システムのデータ処理手段が、受信した位置情報によって示される位置の一定距離内に含まれる位置を示す位置情報を有する「場所」オブジェクトを行動データベースから検索し、
（ｋ）前記検索の結果、該当する「場所」オブジェクトが存在した場合、行動管理システムのデータ処理手段が情報装置にメッセージを送信し、
（ｌ）メッセージを受信した情報装置は、その旨を通知する。
第３３に、
予定情報を視覚化する為の、前記第２９から第３２のいずれか一つに記載の行動情報視覚化方法であって、
前記過程（ａ）において、検索条件にて指定された所定の時刻よりも大きい開始時間属性情報を有する「時間」行動要素情報と参照値によって関連付けられた「内容」行動要素情報のみを行動管理システムの行動データベースより取得することを特徴とする、行動情報視覚化方法。
第３４に、
ユーザーに予定を通知する為の、前記第３３に記載の行動情報視覚化方法であって、
情報装置が、位置情報受信装置を内蔵した持ち運び可能な情報装置であり、
前記過程（ｂ）（ｃ）又は（ｂ）’（ｃ）’が、それぞれ下記の過程（ｂ）’’（ｃ）’’に置き換わり、
以下の過程（ｍ）から（ｏ）を更に行うことを特徴とする、行動情報視覚化方法。
（ｂ）’’行動管理システムのデータ処理手段が、行動管理システムが備える機能（Ｅ）を用いることにより、前記過程（ａ）にて取得された「内容」行動要素情報に関連付けられた「場所」行動要素情報及び「時間」行動要素情報を、参照値を用いて行動管理システムの行動データベースから取得し、
（ｃ）’’行動管理システムのデータ処理手段が、取得した各行動要素情報について、「場所」行動要素情報に含まれる位置情報に基づいて、位置情報と開始時間情報とを含む表示用データを構築し、
（ｍ）情報装置のデータ処理手段が、位置情報受信装置を用いて現在地の位置情報を一定時間毎に受信し、
（ｎ）情報装置のデータ処理手段が、前記（ｍ）で取得した位置情報と、前記表示用データの位置情報を基に、現在地から予定が行われる場所への移動に必要な所要時間Ｐを計算、もしくは外部システムから取得し、
（ｏ）情報装置のデータ処理手段が、前記表示用データの開始時間情報から前記移動時間Ｐを引いた時刻が、情報装置のシステム時刻に所定のマージン時間Ｍを加えた時刻以前となった場合、その旨の通知を行う。
第３５に、
過去の行動履歴を視覚化する為の、前記第２９から第３２のいずれか一つに記載の行動情報視覚化方法であって、
前記過程（ａ）において、検索条件にて指定された所定の時刻よりも小さい開始時間属性情報を有する「時間」行動要素情報と参照値によって関連付けられた「内容」行動要素情報のみを行動管理システムの行動データベースより取得することを特徴とする、行動情報視覚化方法。
第３６に、
前記第６に記載の行動管理システムに保存されている行動情報に含まれるメディアを、情報装置の情報表示手段に地図状に視覚化する為の方法であって、
前記情報装置はデータ処理手段と情報表示手段を備えており、
前記行動管理システムの行動データベースに保存された「場所」行動要素情報には位置情報が含まれており、
前記行動管理システムの行動データベースに保存された「メディア」行動要素情報にはメディアの保存場所を示す情報（保存場所情報）が含まれており、
該方法が以下の過程（ｐ）から（ｔ）からなることを特徴とする、メディアの視覚化方法。
（ｐ）行動管理システムのデータ処理手段が、情報装置より入力された情報検索要求に含まれる検索条件に従って、行動管理システムが備える機能（Ｄ）を用いることにより、検索条件に合致する「メディア」行動要素情報を行動管理システムの行動データベースから取得し、
（ｑ）行動管理システムのデータ処理手段が、行動管理システムが備える機能（Ｅ）を用いることにより、前記過程（ｐ）にて取得された「メディア」行動要素情報に関連付けられた「場所」行動要素情報を、参照値を用いて行動管理システムの行動データベースから取得し、
（ｒ）行動管理システムのデータ処理手段が、取得した各行動要素情報について、「場所」行動要素情報に含まれる位置情報に基づいて、位置情報と保存場所情報とを含む表示用データを構築し、
（ｓ）行動管理システムのデータ処理手段が、前記表示用データを情報装置に送信し、
（ｔ）情報装置のデータ処理手段が、表示用データ内の保存場所情報が指し示すメディア情報もしくはそれを示すマーカーを、一方の軸を緯度、もう一方の軸を経度とした２次元平面上に、前記位置情報の緯度、経度の数値に対応した位置にそれぞれ配置することにより、情報表示手段に地図状に表示する。
第３７に、
以下の過程（ｆ）（ｇ）を更に行うことを特徴とする、前記第３６に記載のメディアの視覚化方法。
（ｆ）情報装置のデータ処理手段が地図データベースから地図情報を取得し、
（ｇ）情報装置のデータ処理手段が、前記過程（ｆ）における地図情報を下側のレイヤーとし、前記過程（ｔ）におけるメディア情報を上側のレイヤーとして、情報表示手段に重ねて表示する。
第３８に、
前記第３または第６に記載の行動管理システムに保存されている行動要素情報に基づいて、予定や過去の行動履歴を、情報装置の情報表示手段に日記状に表示する為の、行動情報表示方法であって、
前記情報装置はデータ処理手段と情報表示手段を備えており、
該方法が以下の過程（ｕ）から（ｙ）からなることを特徴とする、行動情報表示方法。
（ｕ）行動管理システムのデータ処理手段が、情報装置より入力された情報検索要求に含まれる検索条件に従って、行動管理システムが備える機能（Ｄ）を用いることにより、検索条件に合致する「内容」行動要素情報を行動管理システムの行動データベースから取得し、
（ｖ）行動管理システムのデータ処理手段が、行動管理システムが備える機能（Ｅ）を用いることにより、前記過程（ｕ）にて取得された「内容」行動要素情報に関連付けられた一種類以上の行動要素情報を、参照値を用いて行動管理システムの行動データベースから取得し、
（ｗ）行動管理システムのデータ処理手段が、取得した、参照値によって関連付けられた行動要素情報同士をまとめることによって、一つの「内容」行動要素情報につき一つのグループが形成されるようなグループ化を行い、表示用データを各グループ毎に一つずつ構築し、
（ｘ）行動管理システムのデータ処理手段が、前記表示用データを情報装置に送信し、
（ｙ）情報装置のデータ処理手段が、一つの表示用データ毎に１ページの単票形式で、表示用データを情報表示手段に表示する。
第３９に、
前記第３８に記載の行動情報表示方法であって、
行動管理システムの行動データベースに保存された「場所」行動要素情報には位置情報が含まれ、かつ、前記過程（ｘ）において情報装置に送信される各表示用データにも当該位置情報が含まれており、
前記過程（ｙ）において情報表示手段に表示される前記単票に、表示されている表示用データに対応するマーカーが一つ配置された、一方の軸を緯度、もう一方の軸を経度とした２次元平面形状の地図表示が含まれ、
該地図表示における一つのマーカーは、前記表示用データ内の位置情報の緯度、経度の数値に対応した位置に配置されることを特徴とする、行動情報表示方法。
第４０に、
以下の過程（ｆ）（ｇ）を更に行うことを特徴とする、前記第３９に記載の行動情報表示方法。
（ｆ）情報装置のデータ処理手段が地図データベースから地図情報を取得し、
（ｇ）情報装置のデータ処理手段が、前記過程（ｆ）における地図情報を下側のレイヤーとし、前記マーカーを上側のレイヤーとして、情報表示手段に重ねて表示する。
第４１に、
前記第３または第６に記載の行動管理システムに保存されている「人」行動要素情報を中心に情報を集約し、情報装置の情報表示手段に表示するための、個人情報集約表示方法であって、
情報装置はデータ処理手段と情報表示手段を備えており、
該方法が以下の過程（ｚ）から（ａｅ）からなることを特徴とする、個人情報集約表示方法。
（ｚ）行動管理システムのデータ処理手段が、情報装置より入力された情報検索要求に含まれる検索条件に従って、行動管理システムが備える機能（Ｄ）を用いることにより、検索条件に合致する「人」行動要素情報を行動管理システムの行動データベースから取得し、
（ａａ）行動管理システムのデータ処理手段が、行動管理システムが備える機能（Ｅ）を用いることにより、前記過程（ｚ）にて取得された「人」行動要素情報に関連付けられた「内容」行動要素情報を、参照値を用いて行動管理システムの行動データベースから取得し、
（ａｂ）行動管理システムのデータ処理手段が、行動管理システムが備える機能（Ｅ）を用いることにより、前記過程（ａａ）にて取得された「内容」行動要素情報に関連付けられた一種類以上の行動要素情報を、参照値を用いて行動管理システムの行動データベースから取得し、
（ａｃ）行動管理システムのデータ処理手段が、取得した、参照値によって関連付けられた行動要素情報同士をまとめることによって、一つの「人」行動要素情報につき一つのグループが形成されるようなグループ化を行い、表示用データを各グループ毎に一つずつ構築し、
（ａｄ）行動管理システムのデータ処理手段が、前記表示用データを情報装置に送信し、
（ａｅ）情報装置のデータ処理手段が、一つの表示用データ毎に１ページの単票形式で、表示用データを情報表示手段に表示する。
第４２に、
前記第４１に記載の個人情報集約表示方法であって、
行動管理システムの行動データベースに保存された「場所」行動要素情報には位置情報が含まれ、かつ、前記過程（ａｄ）において情報装置に送信される各表示用データにも当該位置情報が含まれており、
前記過程（ａｅ）において情報表示手段に表示される前記単票に、表示されている表示用データに対応するマーカーが配置された、一方の軸を緯度、もう一方の軸を経度とした２次元平面形状の地図表示が含まれ、
該地図表示におけるマーカーは、前記表示用データ内の位置情報の緯度、経度の数値に対応した位置にそれぞれ配置されることを特徴とする、個人情報集約表示方法。
第４３に、
以下の過程（ｆ）（ｇ）を更に行うことを特徴とする、前記第４２に記載の個人情報集約表示方法。
（ｆ）情報装置のデータ処理手段が地図データベースから地図情報を取得し、
（ｇ）情報装置のデータ処理手段が、前記過程（ｆ）における地図情報を下側のレイヤーとし、前記マーカーを上側のレイヤーとして、情報表示手段に重ねて表示する。
第４４に、
前記情報装置と行動管理システムが単一の情報装置で構成され、情報装置のデータ処理手段と行動管理システムのデータ処理手段が単一のデータ処理手段に統合されており、情報装置と行動管理システムとの間のデータの入出力に係る過程が不要となることを特徴とする、前記第２９から第４３のいずれか一つに記載の方法。
【発明の効果】
【００２３】
本発明に係る行動管理システムにおいては、「時間」や「内容」だけでなく「人」「場所」（「メディア」）をも別個独立の管理単位として、各情報を一つのシステムで一括管理する為、他の管理アプリケーションを補助的に使用する必要が無くなり、また、異なるアプリケーション間のデータ形式の変換に係る問題も解消する。即ち、ユーザーの管理負担を大幅に軽減することができる。
また、行動情報を、「時間」「内容」「人」「場所」（「メディア」）のどの検索単位からでも検索／表示できるようになるため、柔軟な行動管理を行うことができるようになる。特に、従来の行動管理アプリケーションの様に、検索単位をいちいち「時間」に変換してから検索したり、記憶に頼って文字検索したりする必要が無くなる。
そして、「時間」「内容」「人」「場所」（「メディア」）のうちの一つの行動要素情報から、参照値を使用して元の行動要素情報を再構成することができるので、各行動要素情報間の「関連性」を効率的に保持、管理することができる。特に、ユーザーが覚えている一つの行動要素情報から、部分的に忘却してしまった他の行動要素情報へと、参照値を順次たどることによりアクセスすることができる。
更に、本発明のこのような構成であれば、行動情報が各行動要素情報に分割管理されているため、参照値を用いて柔軟にデータの集約、結合ができることとなる。そのため、システムの用途や仕様を将来変更したとしても、既に蓄積されたデータをそのまま有効に活用することができる。
このことから更に、下記に示すようなデータ表示に係る各実施態様に留まらず、所望のデータの表示形式を柔軟に構築することができ、データの利便性が高く幅広い応用性があるという大きな利点が生じる。
【実施例】
【００２４】
以下に、本発明に係る各システムの実施の形態について、図面を参照しながら説明する。
図１は、本発明に係る行動情報管理システムによってなされる行動情報の管理方法を示す概念図である。
図２は、行動要素情報に含まれる属性情報、および各行動要素情報間の相関関係付与方法の一例を示す図である。
図３は、各行動構成要素が行動管理システムの行動データベースに登録される処理の流れを示す図である。       
図４は、ユーザーによる予定入力から、行動管理システムが生成する情報構造の具体例を示す図である。
図５は、各行動要素情報間の相互関係についての具体例を示す図である。
図６は、図５の行動要素情報の値を一部変更することにより、予定情報を行動履歴情報として再利用する具体例を示す図である。
図７は、写真等のメディアを行動データベースに登録する際の、行動管理システムにおける処理の具体例を示す図である。
図８は、実施例２に係る予定情報視覚化システムについて説明する図である。
図９は、ＧＰＳ座標情報情報の緯度、経度の値を基準とした、マーカー又は表示情報の表示例を示す図である。
図１０は、実施例３に係る行動履歴情報視覚化システムについて説明する図である。
図１１は、地図サービスの出力結果と、マーカー又は表示情報とを重ねて表示した場合の表示例を示す図である。
図１２は、実施例４に係るメディアアルバムシステムについて説明する図である。
図１３は、ＧＰＳ座標情報の緯度、経度の値を基準としたメディア地図である。
図１４は、実施例５に係る行動情報表示システムについて説明する図である。
図１５は、行動情報表示システムを用いて、表示用情報を「内容」毎に１ページの単票形式で表示した表示例を示す図である。
図１６は、実施例６に係る個人情報集約表示システムについて説明する図である。
図１７は、個人情報集約表示システムを用いて、表示用情報を「人」毎に１ページの単票形式で表示した表示例を示す図である。
［実施例１］
【００２５】
図１は、本発明に係る行動情報管理システム１によってなされる行動情報の管理方法を示す概念図である。以下、図１を主に参照して、情報装置２による行動情報の入力から、行動情報を５種類の行動要素情報に分割して行動データベース１２に保存するまでの流れ、及び、保存されたデータを結合して出力データを構築するまでの流れを説明する。
【００２６】
本発明に係る行動情報管理システム１は、データ処理手段１１と行動データベース１２を備えている。データ処理手段１１は、一般的にはパーソナルコンピュータやサーバーのＣＰＵであり、行動情報管理システム１へのデータの入力、システム内での各種データ処理、外部へのデータ出力を管理統制する手段である。
行動データベース１２は、後述の行動要素情報を保存し、検索要求に応じて各行動要素情報をそこから検索し、また、付与された参照値を利用して、関連する行動要素情報を更に検索することができるように適合化されている、データ保存手段である。
【００２７】
一方、情報装置２はパーソナルコンピュータ、携帯電話、ＰＤＡ、カーナビやデジタルカメラ等の情報装置であり、行動管理システム１に行動情報を入力し、また行動管理システム１から情報の検索結果を受信して表示する装置である。なお、行動管理システム１に情報を入力する情報装置と、行動管理システム１から検索結果を受信する情報装置とは、それぞれ別個の情報装置であってもよい。
【００２８】
ここで、説明の便宜のため、行動管理システム１と情報装置２とがそれぞれ異なる装置であることを前提とした説明がなされている。しかしながら、行動管理システム１自体を情報装置２に内蔵させ、システム全体を一つの情報装置としてもよい。この場合、行動管理システム１と情報装置２に共通するハードウェア資源（例えばデータ処理手段１１と２３）は単一の手段へと統一することができ、また、行動管理システム１と情報装置２との間のデータの入出力処理は不要となる。
【００２９】
情報装置２のユーザーは、情報装置２に備えられたキーボード２１１やボタン２１２等の入力装置２１を用いて、住所録や日記等の行動情報を行動管理システム１に明示的に入力する。この時、必要に応じて、情報装置２に備えられたＧＰＳ受信装置２２１や時計装置２２２等の入力装置２２によってＧＰＳ座標情報やシステム時刻に係る情報が生成され、これらが暗示的に行動管理システム１に入力される。
【００３０】
情報装置２から入力された「予定」「日記」「住所録」などの行動情報は、行動管理システム１のデータ処理手段１１によって「人」「場所」「時間」「内容」の４種類、又はこれに「メディア」を加えた５種類の行動要素情報に分割され、各行動要素情報間に相関関係を持たせた上で行動データベース１２に保存される。なお、相関関係の付与については後述する。
【００３１】
図２は、行動要素情報（以下、場面に応じて「オブジェクト」と表現する）に含まれる属性情報の一例、及び、各行動要素情報間の相関関係付与方法の一例を示す図である。
各オブジェクトに対し、行動管理システムのデータ手段が、オブジェクトの種類（「人」「場所」「時間」「内容」「メディア」）毎に一意となるオブジェクトＩＤ番号を採番する。
具体的には、「人」オブジェクトに対して新規登録順に１、２、３・・・ｎというオブジェクトＩＤ番号を付与し、また、「場所」オブジェクトに対して新規登録順に１、２、３・・・というオブジェクトＩＤ番号を付与し、「時間」「内容」「メディア」に対しても同様にオブジェクトＩＤ番号を付与するという方法が考えられる。ただし、かかるオブジェクトＩＤ番号の付与方法は、本発明の趣旨を逸脱しない範囲で当業者が任意に設計変更を行うことができる。
【００３２】
どの行動要素情報を基点としても、元の行動情報を構成することができるようにするため、各行動要素情報には、行動管理システム１のデータ処理手段１１によって分割される前の「元の行動情報」に含まれていた他の行動要素情報を指し示す前記オブジェクトＩＤ番号が、参照値として埋め込まれる。（図４の右側のＸＭＬ図における、＜ａｔｔｅｎｄｅｅ＞１＜／ａｔｔｅｎｄｅｅ＞等のタグを参照されたい。）
このように、各行動要素情報に他の行動要素情報を示すオブジェクトＩＤ番号を参照値として埋め込むことにより、各行動要素情報間の相関関係を保持しておくことができ、一つの行動要素情報から参照値を用いて他の行動要素情報を更に取得し、元の行動情報を再構成することができる。
【００３３】
なお、理想的な参照値付与方式として、図２に記載されたような、各行動要素情報に他の全ての行動要素情報を示すオブジェクトＩＤを埋め込む方式があるが、本発明の課題を解決するためには、他の付与方法を採用しても良いことが分かる。
例えば、「内容」行動要素情報には、他の全ての行動要素情報のオブジェクトＩＤを付与するが、「内容」行動要素情報以外の行動要素情報には、「内容」行動要素情報のオブジェクトＩＤのみを付与する、という方法が考えられる。
このような参照値の付与方式を採用した場合、「人」行動要素情報に付与された参照値からは「時間」行動要素情報に直接アクセスすることはできないが、「人」行動要素情報に付与された参照値を用いて「内容」行動要素情報を取得し、該「内容」行動要素情報に付与された参照値を用いて「時間」行動要素を取得する、というように、間接的に情報へのアクセスを行うことが可能となる。
【００３４】
さらに、参照値を「一方向のみ」に付与する方式も考えられる。例えば、「メディア」行動要素情報には「内容」行動要素情報のオブジェクトＩＤを埋め込むが、「内容」行動要素情報には「メディア」行動要素情報のオブジェクトＩＤを埋め込まないという付与方式である。
このような参照値付与方式であっても、上述の「どの行動要素情報を基点としても、元の行動情報を構成すること」は可能である。
例えば、「メディア」を指定して「内容」にアクセスしたい場合なら、上述のように「メディア」行動要素情報に付与された参照値を用いて直接アクセスすれば良い。逆に、「内容」を指定して「メディア」にアクセスしたい場合は、行動データベース１２から「メディア」行動要素情報を全検索し、指定した「内容」行動要素のオブジェクトＩＤが埋め込まれている「メディア」行動要素情報を探せばよいからである。
【００３５】
すなわち、本発明における「参照値を付与する」とは、図２に記載の通りの参照値付与方法に限定されず、「どの行動要素情報を基点としても、元の行動情報を構成する」ことができるような方式で参照値が付与されていれば良いものである。
なお、以下の説明においては、原則として、図２に記載された参照値付与方式によって参照値を付与することを前提に説明を行う。
【００３６】
以上、参照値の付与に関しての説明を行ったが、次に、各オブジェクトに含まれる属性情報について説明する。
各行動要素情報には、当該行動要素情報の行動データベース１２上での作成日や、オブジェクト内の一部の属性情報を変更した場合の変更日等を含むことができ、その他、行動構成要素の種類に応じて適切な属性情報を含むことができる。例えば、場所オブジェクトにその場所を示す位置情報（ＧＰＳ座標情報等）を属性情報として含めたり、メディアオブジェクトにメディアの保存場所を示す情報（ＷＥＢ環境における「ＵＲＬ」や、行動管理システム１が備えるハードディスクやネットワーク上の共有ディスク上にあるファイルの保存場所を示す「ファイルパス」等）を含めたりすることができる。なお、図２においては、位置情報としてＧＰＳ座標情報が、メディアの保存場所を示す情報としてＵＲＬが例示されている。
【００３７】
図３は、行動情報として将来の予定や過去の日記に係る情報を情報装置２から入力し、各行動構成要素が行動管理システム１の行動データベース１２に登録される処理の流れを示す図である。
以下の過程は、行動管理システム１のデータ処理手段１１により行われる。
（Ｓ１００）情報装置２より入力された行動情報に含まれる「人」行動要素情報（例えば、行動の参加者を示す情報）が行動データベース１２に未登録の場合は、新たなオブジェクトＩＤ番号を採番して行動データベース１２に新規登録し、登録した当該行動要素情報のオブジェクトＩＤ番号を選択する。一方、既に登録済みの場合は、登録済みの当該行動要素情報のオブジェクトＩＤ番号を選択する。
（Ｓ１０１）情報装置２より入力された行動情報に含まれる「場所」行動要素情報（例えば出来事の発生場所）が行動データベース１２に未登録の場合は、新たなオブジェクトＩＤ番号を採番して行動データベース１２に新規登録し、登録した当該行動要素情報のオブジェクトＩＤ番号を選択する。一方、既に登録済みの場合は、登録済みの当該行動要素情報のオブジェクトＩＤ番号を選択する。
（Ｓ１０２）情報装置２より入力された行動情報に含まれる、開始時間と終了時間に係る情報の組に対し、新たなオブジェクトＩＤ番号を採番して１つの「時間」行動要素情報として行動データベース１２に新規登録し、登録した当該行動要素情報のオブジェクトＩＤ番号を選択する。
なお、従来の行動管理アプリケーションにおいては、時間が管理軸となっていた為に、既に入力済のものと同じ時間を入力しようとするとデータのコリジョン（衝突）が起こり、重複入力エラーが発生してしまっていたのだが、本願発明に係る行動管理システムでは、このようなコリジョンの許容／回避を柔軟に制御することが可能である。つまり、コリジョンがあっても本発明に係るシステムにおいては問題が無いためコリジョンを許容することもできるし、逆に、コリジョン回避の必要性がある場合は、回避することもできる。
（Ｓ１０３）情報装置２より入力された行動情報に含まれる「内容」行動要素情報（例えば、行動の詳細）に対して、新たなオブジェクトＩＤ番号を採番して行動データベース１２に新規登録し、登録した当該行動要素情報のオブジェクトＩＤ番号を選択する。
（Ｓ１０４）情報装置２より入力された行動情報に写真等のメディアを示す情報が含まれている場合には、新たなオブジェクトＩＤ番号を採番して、「メディア」行動要素情報として行動データベース１２に新規登録し、登録した当該行動要素情報のオブジェクトＩＤ番号を選択する。
（Ｓ１０５）前記過程Ｓ１００〜Ｓ１０４にて選択した各オブジェクトＩＤによって示される各行動要素情報に対し、前記過程Ｓ１００〜Ｓ１０４にて選択した各オブジェクトＩＤを参照値として埋め込む。ただし、その行動要素情報自体を示すオブジェクトＩＤ（自己を示すオブジェクトＩＤ）は、既にそのオブジェクト自らの属性値として保有しているので、参照値として更に埋め込む必要はない。
なお、ＸＭＬでの実装例では、図１−４に示されているように、”＜ａｔｔｅｎｄｅｅ＞（他の行動要素情報のオブジェクトＩＤ）＜／ａｔｔｅｎｄｅｅ＞”等のタグを挿入することによって当該埋め込み処理を実装することができる。一方、リレーショナルデータベースによる実装の場合は、埋め込みたい参照値をＵＰＤＡＴＥコマンドによってデータ更新すること等により実装することができる。
（Ｓ１０６）参照値が付与された各行動要素情報を行動データベース１２に保存する。（リレーショナルデータベースによる実装の場合は、前記のＵＰＤＡＴＥコマンドによって既に値の反映が行われているので、このステップは不要である。）
【００３８】
図４は、ユーザーによる予定入力から、行動管理システム１が生成する情報構造の具体例を示す図である。
ユーザーより、情報装置２を介して、以下の条件で予定情報が入力された。
「２００５年１０月１５日の８：３０から１４：３０まで」、「幼稚園の運動会」が「幼稚園」であり、参加者は行動管理システム１の行動データベース１２に登録済みの「家族のメンバー」を選択する。
このような行動情報入力を行うと、行動管理システム１のデータ処理手段１１によって、「時間」行動要素情報の新規登録Ｓ１１０、「場所」行動要素情報の新規登録Ｓ１１１、「内容」行動要素情報の新規登録Ｓ１１２が行われ、図４のＸＭＬ図の右側に示されるような行動要素情報が行動データベース１２にそれぞれ登録されることになる。
ここで、本実施例では行動要素情報がＸＭＬ形式で表現されている。しかし、他のフォーマット／記述形式によって行動要素情報を表現することも可能である。
【００３９】
登録された「内容」行動要素情報には行動管理システム１の行動データベース１２に既に登録済みの参加者に対する参照値が保持されている。（＜ａｔｔｅｎｄｅｅ＞１＜／ａｔｔｅｎｄｅｅ＞等）
なお、登録された「場所」行動要素情報に属性情報として含めることになるＧＰＳ座標情報は、「地図表示上での地点選択」や「住所情報を緯度、経度情報に変換」など、既存の技術により取得が可能である。また、かかるＧＰＳ座標情報は、情報装置２に内蔵されたＧＰＳ受信装置２２１を用いて取得することもできる。
ここで、行動管理システム１のデータ処理手段１１が行う、行動情報を各行動要素情報へと分割する方法については、図４に示されているように、入力情報から「Ｓｔａｒｔ  Ｄａｔｅ  Ｔｉｍｅ：」「Ｅｎｄ  Ｄａｔｅ  Ｔｉｍｅ：」等の所定のキーワードをデータ処理手段１１が検出し、そのキーワードの後に続くデータが当該行動要素情報であると判断して、各々分割していくという処理アルゴリズムによって実装することができる。しかし、分割処理は必ずしもこのような処理アルゴリズムによって行われる必要は無く、当然ながら、当業者が本発明の趣旨を逸脱しない程度に分割アルゴリズムを設計変更して実装することが可能である。
【００４０】
図５は、各行動要素情報間の相互関係についての具体例を示す図である。
将来の予定として入力された行動情報に基づき、行動管理システム１のデータ処理手段１１によって作成された各行動要素情報は、関係ある情報を、参照値として埋め込まれたオブジェクトＩＤ番号をノードとして相互参照する。
【００４１】
図６は、将来の予定として入力された行動情報に基づき作成された図５の行動要素情報について、一部の値を変更することにより、将来の予定として入力した情報を、過去の行動履歴である日記用の情報として再利用する具体例を示す図である。
例えば、幼稚園の運動会についての予定を前もって行動情報として情報装置２から行動管理システム１に入力していたのだが、実際の運動会においては、「本来参加する予定ではなかった桃子さんが参加した」、「実際に運動会の会場に行った時に、持参した情報装置２によって、会場のＧＰＳ情報を初めて取得することができた」「運動会で写真を撮ったので、新たにデータベースに登録したい」といったように、「将来の予定」と「過去の行動履歴」との間に、種々の変動が生じる場合がある。
このような場合であっても、本発明に係る行動管理システム１では、行動情報を全て最初から入力し直す必要はない。即ち、既に入力して行動データベース１２に登録済みの「将来の予定」に係る各行動要素情報に対して種々の変更を加えることによって、これらの情報を「過去の行動履歴」に係る行動要素情報へと変更することが可能である。
【００４２】
より具体的には、行動管理システム１のデータ処理手段１１は例えば以下のような処理を行って、行動データベース１２の登録内容に変更を加えることになる。
（Ｓ１２０）新しい参加者「桃子」を新たな「人」行動要素情報として、前記Ｓ１００と同様に行動データベース１２に新規登録し、新たに採番されたオブジェクトＩＤ番号を用いて前記Ｓ１０５と同様に他の行動要素情報との関連付けを行う。即ち、ＸＭＬでの実装例では、他の各行動要素情報に、新たな「人」行動要素情報のオブジェクトＩＤ番号「５」を埋め込む。
（Ｓ１２１）「内容」行動要素情報の「ＳＴＯＲＹ」属性の値を、「時間に遅れない様に」から「一生懸命走ったので一番でした！」に変更する。
（Ｓ１２２）新たに取得したＧＰＳ座標情報を元に、場所行動要素情報の「ＧＰＳ」属性の値を更新する。
（Ｓ１２３）新たに追加された写真について、「メディア」行動要素情報を前記Ｓ１０４と同様にしてオブジェクトＩＤ番号を採番して行動データベース１２に新規登録し、他の行動要素情報との関連付けを行う。なお、この図における「メディア」行動要素情報の扱いにおいて、情報処理のバリエーションを表現するため、前記「一方向」の参照値付与方式で表現している。すなわち、「人」「内容」「時間」「場所」には新規採番した「メディア」行動要素情報のオブジェクトＩＤ番号’１’を付与せず、一方、「メディア」行動要素情報に対して他の「人」「内容」「場所」行動要素情報の各オブジェクトＩＤ番号を埋め込んでいる。
【００４３】
図７は、メディア、例えば写真を行動データベース１２に登録する際の、行動管理システム１における処理の具体例を示す図である。
写真１枚につき、一つの「メディア」行動要素情報が作成され、当該写真の電子媒体の保存先を示す情報や写真のタイトル、コメント等が、この行動要素情報に含まれる属性情報として格納される（図２参照）。
撮影場所、関連行事、関連者などは、既に行動データベース１２に登録済みの「人」「場所」「内容」行動要素情報のリストから選択する事で、各行動要素間の関連性を保つ参照値を当該写真に係る行動要素情報に埋め込むことができる。（前記Ｓ１２３参照）
【００４４】
以上、行動管理システム１における、行動情報の入力から行動データベース１２への行動要素情報の保存、および情報の変更までの流れを説明したが、ここで図１を再度参照して、このようにして行動データベース１２に保存された行動要素情報を検索して、情報を出力／表示する流れの概略を説明する。
【００４５】
行動管理システム１のデータ処理手段１１は、「人」「場所」「時間」「内容」（「メディア」）の任意の行動要素情報を情報検索用の管理軸（例えば、検索条件指定）として用いて行動要素情報を行動データベース１２から検索し、参照値に基づいて、既に検索された行動要素情報に関連する行動要素情報を行動データベース１２から更に検索し、これを順次繰り返して必要な情報を収集した上で、任意の行動要素情報を情報表示用の管理軸（例えば、各行動要素情報単位での表示制御）として出力／表示用データを構築することができる。
【００４６】
まず、検索条件について説明する。
検索条件としては、「人」「場所」「時間」「内容」（「メディア」）の任意の行動要素情報を用いることができる。
例えば、「時間」行動要素情報を検索条件として指定する場合であれば、「２００６年７月３１日」という日付指定や「２００６年７月３１日から８月１日まで」等の範囲指定等が可能である。
「人」「メディア」行動要素情報を検索条件として指定する場合であれば、人名やファイル名の直接指定や、あいうえお順の範囲指定、前方／後方一致検索等が可能である。
「場所」行動要素情報を検索条件として指定する場合であれば、その場所の住所の直接指定、前方／後方一致検索、ＧＰＳ座標情報の直接指定、ＧＰＳ座標情報の範囲指定（東経１３５.１１１１１１１度から１３５．１１１１１１０度まで）等が可能である。
「内容」行動要素オブジェクトを検索条件として指定する場合であれば、タイトルの直接入力や前方／後方一致検索等が可能である。
【００４７】
ここで注意すべきは、検索条件で指定した行動要素情報の種類と、行動データベース１２から最初に取得する行動要素情報の種類とが、必ずしも同じでなくても良い点である。
例えば、行動データベース１２から最初に取得する行動要素情報が「内容」行動要素情報であって、検索条件にて指定された条件が、「開始時間が１３：００以降」というものであった場合、行動管理システム１のデータ処理手段１１は、行動データベース１２に登録されている「内容」行動要素情報であって、かつ、当該「内容」行動要素情報に付与された参照値が指し示す「時間」行動要素情報の「開始時間」属性情報が１３：００より大きいものみを取得することができる。
なお、当然ながら、検索条件で指定した行動要素情報の種類と、行動データベース１２から最初に取得する行動要素情報の種類が同じであっても良い。
【００４８】
このように、「人」「場所」「時間」「内容」（「メディア」）の任意の行動要素情報を基準に検索が行える（固定された検索用の管理軸を持たない）ことにより、柔軟なデータ管理を行うことができるようになる。
【００４９】
次に、必要な情報の収集について説明する。
実施例１で説明したように、分割された行動要素情報は参照値によって関連付けられている。最初に一種類の行動要素情報を検索し、この参照値によって、既に検索済みの行動要素情報に関連付けられた別の種類の行動要素情報を検索する。このような処理を順次繰り返すことによって、データの出力／表示に必要な情報を収集することができる。
ここで、データの出力／表示に必要な情報は、必ずしも、分割前の元の行動情報全てではない点に注意が必要である。言い換えると、データの出力／表示に使用しない行動要素情報は、敢えて検索しなくても良いということである。
一方、４種類（５種類）の行動要素情報全てを検索して情報を収集すれば、分割前の元の行動情報を再構成することができる。
【００５０】
最後に、出力／表示用データの構築について説明する。
データの表示の際には、例えばスケジュール表の「時間」軸等のように、データの表示を管理する管理軸が必要となる。
出力／表示用データの構築とは、前述の情報検索、収集によって集められた、データの出力／表示に必要な情報を、この表示用の管理軸を基準にグループ化やソートを行って、データをまとめることを表している。
【００５１】
データ構築の具体例として、例えば以下の３つのデータがあったとする。
データ１：「３８、１３５、運動会、１５時、（山田、田中）」
データ２：「３８、１３５、食事、１０時、山田」
データ３：「３８、１３９、ショッピング、１３時、田中」
これを、「人」を表示用の管理軸として出力／表示用データを構築すると、以下のようになる。
（１）田中
「３８、１３５、運動会、１５時」
「３８、１３９、ショッピング、１３時」
（２）山田
「３８、１３５、運動会、１５時」
「３８、１３５、食事、１０時」
【００５２】
このように、「人」を管理軸として出力／表示用データを構築することにより、例えば、一人の人について１ページの単票（個人予定表等）を表示することができるようになる。
【００５３】
ここで、本発明に係る行動管理システムの特徴に再度着目すると、例えば情報装置２側でのデータ表示において、どのようなデータ項目をどのように表示したい場合であっても、かかる表示要求に合致した適切な出力／表示用データを、行動管理システム１が柔軟に構築しうることがわかる。なぜなら、行動管理システム１の行動データベース１２には、行動情報が「人」「場所」「時間」「内容」（「メディア」）単位に「分割されて」蓄積されており、かつ、これらの行動要素情報間の「関連が参照値によって保持」されているからである。
［実施例２］
【００５４】
以下、図８を参照して、実施例１に記載した行動管理システム１を用いて、予定情報を地図状に視覚化する行動情報視覚化システム（以下、予定情報視覚化システム）について説明する。
【００５５】
予定情報視覚化システムは、「時間」単位でしか管理できない従来の予定表等のアプリケーションとは異なり、実施例１に記載の行動管理システム１によって４種類又は５種類に分割された各行動要素情報のうち、「場所」を表示用の管理軸として表示用データを構成し、予定情報を視覚化することに着目したシステムである。
【００５６】
予定情報視覚化システムは、実施例１に記載の行動管理システム１と情報装置２を備えている。
ここで、行動管理システム１におけるハードウェア構成や、行動管理システム１内部におけるデータ処理については、実施例１で述べた通りであり、また、行動管理システム１と情報装置２を一つの装置に統合しても良く、統合した場合、共通のハードウェア資源（データ処理手段１１と２３等）を単一の装置とすることができ、行動管理システム１と情報装置２との間のデータの入出力処理が不要となる。（以下に続く各実施例についても同様である。）
【００５７】
情報装置２は、データ処理手段２３と情報表示手段２４を備えている。
データ処理手段２３は、より具体的には、情報装置２のＣＰＵであり、行動情報管理システム１への検索条件情報の出力、情報装置２内部での各データ処理、行動情報管理システム１からのデータ入力、情報表示手段２４への情報表示等の各処理を管理統制する手段である。
情報表示手段２４は情報装置２に備えられたディスプレイである。
また、情報装置２には地図予定表アプリケーションが実装されている。情報装置２のデータ処理手段２３は、該アプリケーションを介することにより、ユーザーから入力される明示の検索条件や、情報装置２が暗示的に指定する検索条件（システム時刻等）等を制御し、行動管理システム１から送信される検索結果情報に基づいて、ＧＰＳ座標情報の緯度、経度の値を基準とした地図（図９を参照）を情報表示手段２４上に展開できるように適合化されている。
【００５８】
予定情報視覚化システムは、以下のような処理を行うことにより、ユーザーが所望する予定情報を、情報表示手段２４に地図状に視覚化することができる。
（Ｓ２００）地図予定表アプリケーションを情報装置２上で実行すると、情報装置２から行動管理システム１に、行動情報検索要求が送られる。この行動情報検索要求には、情報装置２のユーザーによる手入力、または情報装置２のデータ処理手段２３による自動生成等によって、検索条件を含めることができる。
検索条件としては、実施例１において説明したように「人」「場所」「時間」「内容」（「メディア」）の任意の行動要素情報を用いることができる。
（Ｓ２０１）行動情報検索要求を受信した行動管理システム１は、データ処理手段１１の制御により、行動情報検索要求にて指定された検索条件に当てはまる「内容」オブジェクトを行動データベース１２から全部取得する。なお、当該「内容」オブジェクトが参照する「時間」オブジェクトの属性情報である「開始時間」属性情報が指定時間（例えば、行動情報検索要求の検索条件で指定された、情報装置２のシステム時刻等）より大きい場合、行動管理システム１のデータ処理手段１１は、その「内容」オブジェクトを将来の予定と判断することになる。
（Ｓ２０２）行動管理システム１は、取得した各「内容」オブジェクトに付与された参照値を用いて、関連する「場所」オブジェクトを行動データベース１２から検索し、該「場所」オブジェクトに含まれるＧＰＳ座標情報に基づいて、「場所」軸を管理軸として表示用情報を構築する。
この表示用情報構築についてのより具体的なデータ処理を例示すると、ＧＰＳ座標が同じデータ同士を一まとめにして、１つのＧＰＳ座標毎に一つの表示用情報を作成したり、または、ＧＰＳ座標の入力誤差を更に考慮して、ある一定の範囲内（例えば半径５０ｍ以内）に含まれるＧＰＳ座標情報を持つデータ同士を一まとめにして表示用情報を作成したりすることができる。（このことは、後に続く、「場所」を管理軸とした表示用情報構築を行う他の実施例においても同様である。）
なお、表示用情報には、「内容」オブジェクト及び「場所」オブジェクトの属性情報の全てを含んでいても良いし、情報装置２による表示に必要な属性情報のみを選択して含んでいても良い。ただし、ＧＰＳ座標情報は必ず含まれる。
（Ｓ２０３）行動管理システム１のデータ処理手段１１は、構築された表示用情報を検索結果情報として情報装置２へと送信する。
（Ｓ２０４）情報装置２のデータ処理手段２３は、受信した検索結果情報に含まれる各ＧＰＳ座標情報を予定の実行地点として、当該予定を示すマーカー３１をＧＰＳ座標情報の緯度、経度の値に従って情報表示手段２４に表示する（図９を参照）。
【００５９】
好適には、情報装置２のユーザーがマーカー３１をクリックすると、情報装置２のデータ処理手段２３が後述のＳ５００〜Ｓ５０３と同様の処理を行って当該予定の詳細情報３２を行動管理システム１から更に取得し、詳細情報３２を情報表示手段２４上にさらに表示することができる。
また、前記ステップ（Ｓ２０２）において、関連する「時間」オブジェクト等、他の行動要素情報をも合わせて検索して、それらを含めた上で表示用データを構築することによって、ユーザーによりマーカーのクリック動作を経ずに、最初から詳細情報３２を情報表示手段２４上に表示することも可能である。
【００６０】
このような手順で、いつ、どこで予定があるのかを情報表示手段２４上に地図形式で視覚化することが可能になる。この視覚化により、情報装置２のユーザーが、近傍で発生する複数の予定を一回で済ませようとする、等のスケジュール調整を効率的に行うことができるようになる。
しかも、このスケジュール調整は複雑な予定最適システムを用いる必要なしに行うことができる。予定が地図的に視覚化されるので、ユーザー自身による気づきによって容易にスケジュールを最適化できるからである。
【００６１】
また、情報装置２上の地図予定表アプリケーションを介して表示設定を行うことにより、情報装置２の情報表示手段２４に表示された予定の発生順に線３３を引いて行動ルートを表示することも可能になる（図９を参照）。
このような線の表示は、前記（Ｓ２０２）において、「内容」オブジェクトに付与された参照値を用いて、「時間」オブジェクトを行動データベース１２から更に取得し、構築する表示用データに該「時間」オブジェクトの「開始時間」属性情報を含め、情報装置２側でこの「開始時間」属性情報を元に線を引くことによって、実装が可能である。
【００６２】
応用例として、情報装置２がＧＰＳ受信装置２２１を内蔵した持ち運び可能な情報装置（例えば携帯電話）である場合には、ユーザーが、予定に遅れないためにはそろそろ行動を開始しなければならない旨を通知する「行動開始通知機能」を容易に実装することができる。
この行動開始通知機能は、例えば以下のようなデータ処理を情報装置２内で行うことにより実現することができる。
まず、情報装置２のデータ処理手段２３は、内蔵したＧＰＳ受信装置２２１によって、情報装置２の現在地、即ちユーザーの現在地を示すＧＰＳ座標情報を、一定時間毎（例えば１分毎）に取得する。
情報装置２のデータ処理手段２３は、取得した現在地を示すＧＰＳ座標情報と、行動管理システム１から既に受信済みの検索結果情報に含まれる、予定が行われる場所を示すＧＰＳ座標情報を基に、現在地から予定が行われる場所への移動に必要な所用時間を計算する。
情報装置２のデータ処理手段２３は、行動管理システムから受信した検索結果情報に含まれる各予定の開始時刻から、前ステップにおいて計算された移動時間を差し引いた時刻が、情報装置２のシステム時刻より＋６０分，＋３０分，＋１５分，＋１０分，＋５分毎に多いタイミングで、ユーザーに予定に間に合うために現在地を出立しなければいけない旨を通知する。
【００６３】
ここで、前記所要時間の計算は、現在地のＧＰＳ座標と予定が行われる場所のＧＰＳ座標との間の「距離」に基づいて計算しても良いし、車やバス、電車等の交通機関による移動を更に考慮して、「乗り換え案内システム」等のサービスから所要時間を取得してもよい。
なお、このサービスは、情報装置２内に実装してもよく、情報装置２から見た外部システム（行動管理システム１や、ネットワーク上のサーバー等）に実装しても良い。
【００６４】
また、ユーザーに予定に間に合うために現在地を出立しなければいけない旨を通知する方法としては、例えば情報表示手段２４にその旨を表示したり、情報表示手段２４に表示された、該当するマーカーを点滅表示したり、アラーム音を発生して知らせる等の方法が考えられ、その他の既知の通知手段を用いても良い。
［実施例３］
【００６５】
以下、図１０を参照して、実施例１に記載した行動管理システム１を用いて、過去の行動履歴を表す行動情報を地図状に視覚化する行動情報視覚化システム（以下、行動履歴情報視覚化システム）について説明する。
【００６６】
行動履歴情報視覚化システムは、前記予定情報視覚化システムと同様、実施例１に記載の行動管理システム１によって４種類又は５種類に分割された各行動要素情報のうち、「場所」を表示用の管理軸として表示用データを構成し、行動履歴情報を視覚化することに着目したシステムである。
行動履歴情報視覚化システムのハードウェア構成や、各種データ処理を行うハードウェア資源については、前記の予定情報視覚化システムと同様である。
【００６７】
行動履歴情報視覚化システムに含まれる情報装置２には、地図日記アプリケーションが実装されている。情報装置２のデータ処理手段２３は、該アプリケーションを介することにより、ユーザーから入力される明示の検索条件や、情報装置２が暗示的に指定する検索条件（システム時刻等）を制御し、行動管理システム１から送信される検索結果情報に基づいて、ＧＰＳ座標情報の緯度、経度の値を基準とした地図（図９を参照）を情報表示手段２４上に展開できるように適合化されている。
【００６８】
行動履歴情報視覚化システムは、以下のような処理を行うことにより、ユーザーが所望する行動履歴情報を、情報表示手段２４に地図状に視覚化することができる。
（Ｓ３００）地図日記アプリケーションを情報装置２上で実行すると、情報装置２から行動管理システム１に、行動情報検索要求が送られる。該行動情報検索要求で指定する検索条件については、前記（Ｓ２００）と同様である。
（Ｓ３０１）行動情報検索要求を受信した行動管理システム１は、データ処理手段１１の制御により、行動情報検索要求にて指定された検索条件に当てはまる「内容」オブジェクトを行動データベース１２から全部取得する。ここで、当該「内容」オブジェクトが参照する「時間」オブジェクトの属性情報である「開始時間」属性情報が指定時間より小さい場合、行動管理システム１のデータ処理手段１１はその「内容」オブジェクトを過去の出来事と判断してその内容オブジェクトを取得することになる。
（Ｓ３０２）行動管理システム１は、取得した各「内容」オブジェクトに付与された参照値を用いて、関連する「場所」オブジェクトを行動データベース１２から検索し、該「場所」オブジェクトに含まれるＧＰＳ座標情報に基づいて、「場所」軸を管理軸として表示用情報を構築する。
この表示用情報構築の具体的なデータ処理は、前記Ｓ２０２と同様である。
なお、表示用情報には、「内容」オブジェクト及び「場所」オブジェクトの属性情報の全てを含んでいても良いし、情報装置２による表示に必要な属性情報のみを選択して含んでいても良い。ただし、ＧＰＳ座標情報は必ず含まれる。
（Ｓ３０３）行動管理システム１のデータ処理手段１１は、構築された表示用情報を検索結果情報として情報装置２へと送信する。
（Ｓ３０４）情報装置２のデータ処理手段２３は、受信した検索結果情報に含まれる各ＧＰＳ座標情報を、過去の出来事が発生した地点として、当該行動履歴を示すマーカー３４をＧＰＳ座標情報の緯度、経度の値に従って情報表示手段２４に表示する（図９を参照）。
【００６９】
好適には、情報装置２のユーザーがマーカー３４をクリックすると、情報装置２のデータ処理手段２３が後述のＳ５００〜Ｓ５０３と同様の処理を行って当該マーカーの指す地点で起こった出来事の詳細情報３５を行動管理システム１から取得し、該詳細情報３５を情報表示手段２４上にさらに表示することができる。
また、前記ステップ（Ｓ３０２）において、関連する「時間」オブジェクト等、他の行動要素情報をも合わせて検索して、それらを含めた上で表示用データを構築することによって、ユーザーによりマーカーのクリック動作を経ずに、最初から詳細情報３５を情報表示手段２４上に表示することも可能である。
【００７０】
このような手順で、過去の出来事が、いつ、どこで起こったのかを情報表示手段２４状に地図形式で視覚化することが可能になる。この視覚化により、情報装置２のユーザーは、自らが覚えている場所情報を基に、一部忘却してしまった「いつ」「誰と」「何をしにいった」「その時の写真」等の情報を容易に探し当てることができるようになる。
【００７１】
また、前述の予定情報視覚化システムの場合と同様に、情報装置２の情報表示手段に表示された過去の出来事の発生順に線を引いて行動ルートを表示することも可能になる。
さらに、実施例２と３を組み合わせて、将来の予定情報と過去の行動履歴情報を同時に表示することも可能である。即ち、行動管理システム１が最初に「内容」オブジェクトを取得する際に、「開始時間が指定時間より大きいもの」または「開始時間が指定時間より小さいもの」という絞り込みをかけずに検索を行えばよい。
そして、情報装置２に送信される表示用情報に「開始時間」属性情報が含まれる場合、例えば情報装置２のシステム時刻より開始時間が大きいもの（予定）を表わすマーカーを赤で表示し、システム時刻より開始時間が小さいもの（過去の行動履歴）を表わすマーカーを青で表示し、同一地点において予定情報と行動履歴情報が混在する場合はマーカーを紫で表示する等、表示方法に変化を付けることも可能である。
【００７２】
更なる応用例として、情報装置２がＧＰＳ受信装置２２１を内蔵した持ち運び可能な情報装置である場合には、現在地で行われた過去の出来事や、行われる予定を通知する機能を容易に実装することができる。
この通知機能は、例えば以下のようなデータ処理を情報装置２及び行動管理システム１で行うことにより実現することができる。
まず、情報装置２のＧＰＳ受信装置２２１によってユーザーの現在地のＧＰＳ座標情報を定期的（例えば１分おき）に受信し、該ＧＰＳ座標情報を検索条件として指定した情報検索要求を行動管理システム１にその都度送信する。
行動管理システム１のデータ処理手段１１は、受信したＧＰＳ座標の一定距離内に含まれるＧＰＳ情報を有する「場所」オブジェクトを行動データベース１２から検索する。
前記検索の結果、該当する「場所」オブジェクトが存在した場合、行動管理システム１のデータ処理手段１１が情報装置２にその旨を知らせるメッセージを送信する。
メッセージを受信した情報装置は、その旨を通知する。
【００７３】
この通知は、例えば情報表示手段２４にその旨を表示したり、情報表示手段２４に表示された、該当マーカーを点滅表示にしたり、アラーム音を発生して知らせる等によって行うことができ、またその他の既知の通知手段を用いても良い。
【００７４】
予定情報視覚化システム、及び、行動履歴情報視覚化システムに共通する、更なる応用例として、既存の地図検索サービス４の地図データベース４１から取得した地図情報（例えば、レストラン３６や駅３７等の地図情報）に予定情報や行動履歴情報を重ねて表示することができる（図１１を参照）。これにより、前述の行動管理システム１の行動データベース１２に登録されている過去の出来事、将来の予定を、既存の地図サービスに結合する事が可能になる。すなわち、既存の地図サービスや店舗検索サービスに、本願発明が提唱する「個人の行動管理」という機能を更に付加することによって、ユーザーにとってより利便性の高いシステムを提供することができるようになる。
更に、地図サービスプロバイダ側にとって以下のような利点がある。
既存の地図サービスはＢｔｏＢ形式のものが多く、ユーザーに対して直接課金せず、地図サービスプロバイダにとっての収入源は広告収入のみ、という形態が一般的であったのに対し、上述のような「個人の行動管理」機能を付加することによって、行動管理の対価としての、ユーザーからの直接的な課金による収益が更に期待できるようになる。
なお、かかる地図検索サービスや店舗検索サービスは、情報装置２内にスタンドアロン形式で実装しても良いし、外部システム（行動管理システム１やネットワーク上のサーバーなど）に実装しても良い。
［実施例４］
【００７５】
以下、図１２を参照して、実施例１に記載された行動管理システム１を用いて、「場所」を表示用の管理軸としたメディアアルバムを表示するシステム（以下、メディアアルバムシステム）について説明する。
【００７６】
メディアアルバムシステムは、実施例１に記載の行動管理システム１によって４種類又は５種類に分割された各行動要素情報のうち、「場所」を表示用の管理軸として、メディアを地図状に表示することに着目したシステムである。
【００７７】
メディアアルバムシステムのハードウェア構成や、各種データ処理を行うハードウェア資源等については、前述の予定情報視覚化システムや行動履歴情報視覚化システムと同様である。
メディアアルバムシステムに含まれる情報装置２には、地図メディアアルバムアプリケーションが実装されている。情報装置２のデータ処理手段２３は、該アプリケーションを介することにより、ユーザーから入力される明示の検索条件や、情報装置２が暗示的に指定する検索条件等を制御し、行動管理システム１から送信される検索結果情報に基づいて、ＧＰＳ座標情報の緯度、経度の値を基準としたメディア地図（図１３を参照）を情報表示手段２４に表示できるように適合化されている。
【００７８】
メディアアルバムシステムは、以下のような処理を行うことにより、ユーザーが所望するメディアを地図状に表示することができる。
（Ｓ４００）地図メディアアルバムアプリケーションを情報装置２上で実行すると、情報装置２から行動管理システム１に、行動情報検索要求が送られる。該行動情報検索要求で指定する検索条件については、前記（Ｓ２００）と同様である。
（Ｓ４０１）行動情報検索要求を受信した行動管理システム１は、データ処理手段１１の制御により、行動情報検索要求にて指定された検索条件に当てはまる「メディア」オブジェクトを行動データベース１２から全部取得する。
（Ｓ４０２）行動管理システム１は、取得した各「メディア」オブジェクトに付与された参照値を用いて関連する「場所」オブジェクトを行動データベース１２から取得し、該「場所」オブジェクトに含まれるＧＰＳ座標情報に基づいて、「場所」軸を管理軸として表示用情報を構築する。
この表示用情報構築の具体的なデータ処理は、前記Ｓ２０２と同様である。
なお、表示用情報には、「メディア」オブジェクト及び「場所」オブジェクトの属性情報の全てを含んでいても良いし、情報装置２による表示に必要な属性情報のみを選択して含んでいても良い。ただし、ＧＰＳ座標情報は必ず含まれる。
（Ｓ４０３）行動管理システム１のデータ処理手段１１は、構築された表示用情報を検索結果情報として情報装置２へと送信する。
（Ｓ４０４）情報装置２のデータ処理手段２３は、受信した検索結果情報に含まれる各ＧＰＳ座標情報を各メディアの表示地点として、ＧＰＳ座標情報の緯度、経度の値に従ってマーカーを情報表示手段２４に表示する（図１３を参照）。
好適には、情報装置２の利用者が地図状に配置されたマーカーをクリックした際に、対応するメディア情報を表示することができる。
【００７９】
本実施例により、情報装置２（例えばデジタルカメラ）がＧＰＳ受信装置２２１を内蔵していなくても、撮影地点の視覚化が可能となる。
多くの場合、例えば「京都に行った写真」を探す場合には、京都→京都に行った時期→その期間の写真の保存場所、と言う経路での検索が必要になるが、本実施例に係るシステムによれば、場所によるメディアの検索が容易に実行可能になり、また、当然ながら、検索条件の指定により「人」「撮影時期」等の他の行動要素情報によっても検索の絞り込みを行うことができるので、ユーザーのメディア検索の負担を大きく低減させることができる。
［実施例５］
【００８０】
以下、図１４を参照して、実施例１に記載した行動管理システム１を用いて、日記等の行動情報を再現して表示するシステム（以下、行動情報表示システム）について説明する。
【００８１】
前記実施例２から４に係るシステムは、いずれも、「場所」行動要素情報を表示用の管理軸として、予定情報や、行動履歴情報、メディア情報を地図状に展開するシステムであったが、本実施例に係る行動情報表示システムは、「内容」行動要素情報を表示用の管理軸として、出来事毎、予定毎にその詳細を表示することに着目したシステムである。
行動情報表示システムのハードウェア構成や、各種データ処理を担当するハードウェア資源については、前述の実施例２から４に係るシステムと同様である。
【００８２】
行動情報表示システムに含まれる情報装置２には、行動情報表示アプリケーションが実装されている。情報装置２のデータ処理手段２３は、該アプリケーションを介することにより、ユーザーから入力される明示の検索条件や、情報装置２が暗示的に指定する検索条件を制御し、行動管理システム１から送信される検索結果情報に基づいて、「内容」を表示単位として再表示用情報を情報表示手段２４に表示できるように適合化されている。
【００８３】
行動情報表示システムは、以下のような処理を行うことにより、ユーザーが所望する行動情報を表示することができる。
（Ｓ５００）行動情報表示アプリケーションを情報装置２上で実行すると、情報装置２から行動管理システム１に、行動情報検索要求が送られる。該行動情報検索要求で指定する検索条件については、前記（Ｓ２００）と同様である。
（Ｓ５０１）行動情報検索要求を受信した行動管理システム１は、データ処理手段１１の制御により、行動情報検索要求にて指定された検索条件に当てはまる「内容」オブジェクトを行動データベース１２から取得する。
（Ｓ５０２）行動管理システム１は、取得した「内容」オブジェクトに付与された参照値を用いて、関連する「人」「場所」「時間」（「メディア」）オブジェクトを行動データベース１２から取得して、これらを一つにまとめることによって、「内容」軸を管理軸として表示用情報を構築する。言い換えると、一つの「内容」に関連する「人」「場所」「時間」（「メディア」）情報を集約して、分割前の元の行動情報を再構築する。
なお、各行動要素情報の全てのデータの表示が必要な場合、上述のような行動情報の再構築処理となるが、表示の際に不要な情報を検索、収集する必要は無いため、情報装置２の要求仕様に応じて、例えば「内容」と「場所」と「時間」のみを結合して表示用情報を作成したり、これらの行動要素情報の中から表示に不要な属性情報を更に省いたりしてもよい。
（Ｓ５０３）行動管理システム１は、再構成された表示用情報を検索結果情報として情報装置２へと送信する。
（Ｓ５０４）情報装置２は受信した表示用情報を例えば日記として情報表示手段２４に表示する。
【００８４】
表示用情報の表示は、１つの表示用情報（１つの「内容」に対応している）毎に１ページの単票形式で表示することができる。（図１５を参照）
また、上述のデータ処理からわかるように、当該単票に表示され得る項目として、「内容」オブジェクトに関連付けられたメディア情報やＧＰＳ座標情報（「場所」オブジェクト）があるが、これらの情報に基づいて、写真５１を単票上に配置したり、また、前記実施例２から４と同様、ＧＰＳ座標の緯度、経度の値に従ってマーカーを配置した地図表示５２を単票上で行ったりすることができる。
【００８５】
また、表示した各属性情報に対して、その詳細情報を表示するページへのリンクを貼り、該リンク部分をユーザーがクリックした際に詳細ページを表示させることも可能である。
例えば、情報表示手段２４に表示された表示用データの中で、アンダーライン５３が引かれた参加者（図１５の例では、田中さん）の部分をクリックすることで、後述のＳ６００からＳ６０３と同様の処理を行って、この参加者の住所録を表示したり、アンダーライン５４が引かれた場所（図１５の例では、○○幼稚園）の部分をクリックすることで、その場所で行われる予定／行動履歴、関係者等を集約して表示したりすることができる。
【００８６】
本実施例に係る行動情報表示システムにより、行動情報に関係する参加者全員の取得や、出来事の周辺地図といった、行動要素情報の収集と一括表示が可能になる。
また、本システムを使用することにより、「たしか７人いたと思うのだけど、最後の１人が思い出せない」「飲み会で取った写真が見つからない」と言った、各行動構成要素情報の忘却問題を容易に解決することができる。
［実施例６］
【００８７】
以下、図１６を参照して、各個人に係る情報を、その人に関係する予定や過去の出来事を含めて集約して表示するシステム（以下、個人情報集約表示システム）について説明する。
【００８８】
個人情報集約表示システムは、ある「人」に関係する予定、出来事、メディア、住所等の情報を集約して、「人」を表示用の管理軸として情報を表示することに着目したシステムである。
個人情報集約表示システムのハードウェア構成や、各種データ処理を担当するハードウェア資源については、前記実施例２から５と同様である。
個人情報集約表示システムに含まれる情報装置２には、個人情報集約表示アプリケーションが実装されている。情報装置２のデータ処理手段２３は、該アプリケーションを介することにより、ユーザーから入力される明示の検索条件や、情報装置２が暗示的に指定する検索条件等を制御し、行動管理システム１から送信される検索結果情報に基づいて、各個人ごとに集約された情報を表示することができるように適合化されている。
【００８９】
個人情報集約表示システムは、以下のような処理を行うことにより、ユーザーが所望する各個人の集約情報を表示することができる。
（Ｓ６００）個人情報集約表示アプリケーションを情報装置２上で実行すると、情報装置２から行動管理システム１に、行動情報検索要求が送られる。該行動情報検索要求で指定する検索条件については、前記（Ｓ２００）と同様である。
（Ｓ６０１）行動情報検索要求を受信した行動管理システム１は、データ処理手段１１の制御により、行動情報検索要求にて指定された検索条件に当てはまる「人」オブジェクトを行動データベース１２から１つ取得する。
（Ｓ６０２）行動管理システム１は、取得した各「人」オブジェクトに関連する「内容」オブジェクトを、参照値を用いて、行動データベース１２から取得する。そして、該「内容」オブジェクトに付与された参照値を用いて、関連する「場所」オブジェクト、「時間」オブジェクト、「メディア」オブジェクトを更に取得する。取得したこれらの情報をまとめることによって、「人」軸を管理軸として表示用情報を構成する。言い換えると、とある「人」に関連する各行動要素情報を、該「人」行動要素情報を中心に結合し、その中から必要な属性情報を選択して「人」毎に１つの表示用情報を作成する。
なお、前記（Ｓ５０２）と同様に、必ずしも全ての種類の行動要素情報を検索、結合する必要はなく、情報装置の要求仕様に応じた必要な属性情報が得られるように行動要素情報を検索すればよく、また、不要な属性情報を表示用情報から省いてもよい。
（Ｓ６０３）行動管理システム１は、表示用情報を検索結果情報として情報装置２へと送信する。
（Ｓ６０４）情報装置２は、受信した検索結果情報を、表示用情報毎（１人の「人」毎）に情報表示手段２４に表示する。
【００９０】
表示用情報の表示は、１つの表示用情報（１人の「人」に対応している）毎に１ページの単票形式で表示することができる。（図１７を参照）
また、上述のデータ処理からわかるように、当該単票に表示され得る項目として、「内容」オブジェクトに関連付けられたメディア情報やＧＰＳ座標情報（「場所」オブジェクト）があるが、これらの情報に基づいて、写真６１を単票上に配置したり、また、前記実施例２から４と同様、ＧＰＳ座標の緯度、経度の値に従ってマーカーを配置した地図表示６２を単票上で行ったりすることができる。
【００９１】
以上、６つの実施例について説明したが、いずれの実施例にも共通する点は、行動情報を「人」「場所」「時間」「内容」の４種類、又は「メディア」を加えた５種類の行動要素情報に分割して、参照値と共にデータベースに保存しておくことにより、行動情報を柔軟に管理できることである。
データの出力に係る実施例２から６については、ユーザーが得たいと欲する情報に容易にアクセスでき、また、多種多様な表示形式を構築することができる。
なお、実施例２から６をデータの出力に係る実施例として説明したが、情報表示手段２４への各データ表示形式は、単なるデータ出力に留まらず、ユーザーが更なる入力や値の変更を行うための「入力インターフェース」としても機能することが、当業者にとって容易に理解できるであろう。
また、当業者は、本願発明の主旨を逸脱しない範囲で、上述のような構成を容易に変更することが可能である。
【図面の簡単な説明】
【００９２】
【図１】本発明に係る行動情報管理システムによってなされる行動情報の管理方法を示す概念図である。
【図２】行動要素情報に含まれる属性情報、および各行動要素情報間の相関関係付与方法の一例を示す図である。
【図３】各行動構成要素が行動管理システムの行動データベースに登録される処理の流れを示す図である。
【図４】ユーザーによる予定入力から、行動管理システムが生成する情報構造の具体例を示す図である。
【図５】各行動要素情報間の相互関係についての具体例を示す図である。
【図６】図５の行動要素情報の値を一部変更することにより、予定情報を行動履歴情報として再利用する具体例を示す図である。
【図７】写真等のメディアを行動データベースに登録する際の、行動管理システムにおける処理の具体例を示す図である。
【図８】実施例２に係る予定情報視覚化システムについて説明する図である。
【図９】ＧＰＳ座標情報情報の緯度、経度の値を基準とした、マーカー又は表示情報の表示例を示す図である。
【図１０】実施例３に係る行動履歴情報視覚化システムについて説明する図である。
【図１１】地図サービスの出力結果と、マーカー又は表示情報とを重ねて表示した場合の表示例を示す図である。
【図１２】実施例４に係るメディアアルバムシステムについて説明する図である。
【図１３】ＧＰＳ座標情報の緯度、経度の値を基準としたメディア地図である。
【図１４】実施例５に係る行動情報表示システムについて説明する図である。
【図１５】行動情報表示システムを用いて、表示用情報を「内容」毎に１ページの単票形式で表示した表示例を示す図である。
【図１６】実施例６に係る個人情報集約表示システムについて説明する図である。
【図１７】個人情報集約表示システムを用いて、表示用情報を「人」毎に１ページの単票形式で表示した表示例を示す図である。
【符号の説明】
【００９３】
１            行動管理システム
１１          データ処理手段
１２          行動データベース
２            情報装置
２１、２２    入力装置
２１１        キーボード
２１２        ボタン
２２１        ＧＰＳ受信装置
２２２        時計装置
２３          データ処理手段
２４          情報表示手段
３１、３４    マーカー
３２、３５    詳細情報
３３          線
４            地図検索サービス
４１          地図データベース
５１、６１    写真
５２、６２    地図表示
５３、５４    アンダーライン
【図１】
2008027364.tif 000003
【図２】
2008027364.tif 000004
【図３】
2008027364.tif 000005
【図４】
2008027364.tif 000006
【図５】
2008027364.tif 000007
【図６】
2008027364.tif 000008
【図７】
2008027364.tif 000009
【図８】
2008027364.tif 000010
【図９】
2008027364.tif 000011
【図１０】
2008027364.tif 000012
【図１１】
2008027364.tif 000013
【図１２】
2008027364.tif 000014
【図１３】
2008027364.tif 000015
【図１４】
2008027364.tif 000016
【図１５】
2008027364.tif 000017
【図１６】
2008027364.tif 000018
【図１７】
2008027364.tif 000019